(57)【特許請求の範囲】
【請求項１】
湯用弁孔、水用弁孔及び吐出弁孔を有する固定弁体と、
流路形成凹部を有する可動弁体と、
湯流入孔、水流入孔及び吐出孔を有しており、上記固定弁体と上記可動弁体との間に配置された中間弁体と、
左右回動及び前後回動が可能であり、上記可動弁体を操作しうるレバーと、
上記レバーを前後回動可能に支持する回動体と、
上記レバーの左右回動に伴う上記中間弁体のポジション切替を可能とする切替機構と、
を備えており、
上記レバーの左右回動により、上記可動弁体が上記中間弁体に対して旋回し、この可動弁体の旋回により、湯水混合比率の調節が可能とされており、
上記レバーの前後回動により、上記可動弁体が上記中間弁体に対して移動し、この移動により吐出量が調節されており、
上記ポジション切替では、上記中間弁体が、上記固定弁体に対して相対回転するとともに、上記レバーの左右回動方向とは逆方向に回転する湯水混合栓。
【請求項２】
上記ポジション切替により、湯水混合比率の変化が促進されている請求項１に記載の湯水混合栓。
【請求項３】
上記切替機構が、
上記固定弁体に回動可能に取り付けられており且つ上記中間弁体と係合しているスイッチ部材と、上記レバーの左右回動に連動し且つ上記スイッチ部材を操作しうる操作部とを有しており、
上記中間弁体が、上記スイッチ部材と係合する係合部を有しており、
上記レバーの左右回動に伴い、上記操作部が、上記スイッチ部材を第一ポジションと第二ポジションとに変化させることができ、
上記スイッチ部材が第一ポジションにあるとき、上記中間弁体が水側ポジションとなるように構成されており、
上記スイッチ部材が第二ポジションにあるとき、上記中間弁体が湯側ポジションとなるように構成されている請求項１又は２に記載の湯水混合栓。
【請求項４】
上記レバーの左右位置が、水のみが吐出する状態と湯が混合される状態との境界である湯混合境界位置を含んでおり、
上記レバーの左右回動に伴い、上記操作部が、上記スイッチ部材を、第一ポジション、第二ポジション、及び、上記第一ポジションと上記第二ポジションとの間の遷移ポジションに変化させることができ、
上記スイッチ部材が上記第一ポジションにあるとき、上記中間弁体が上記水側ポジションとなるように構成されており、
上記スイッチ部材が上記第二ポジションにあるとき、上記中間弁体が上記湯側ポジションとなるように構成されており、
上記スイッチ部材が上記遷移ポジションにあるとき、上記中間弁体が遷移ポジションとなるように構成されており、
上記レバーが上記湯混合境界位置にあるとき、上記中間弁体が上記遷移ポジションにある請求項３に記載の湯水混合栓。
【請求項５】
上記スイッチ部材が、第一延在部及び第二延在部を有しており、
上記レバーが第一左右方向範囲にあるとき、上記操作部が上記第一延在部に当接し、この当接により、上記第一左右方向範囲の全体において、上記スイッチ部材が上記第一ポジションにある状態が維持されており、
上記レバーが第二左右方向範囲にあるとき、上記操作部が上記第二延在部に当接し、この当接により、上記第二左右方向範囲の全体において、上記スイッチ部材が上記第二ポジションにある状態が維持されている請求項３又は４に記載の湯水混合栓。
【発明の詳細な説明】
【技術分野】
【０００１】
本発明は、湯水混合栓に関する。
【背景技術】
【０００２】
ハンドル操作により吐出量及び湯水の混合割合を調節できる水栓が知られている。シングルレバー式の湯水混合栓では、レバーハンドルの旋回操作により湯と水との切り替え及び混合比の調節が可能であり、レバーハンドルの前後操作（上下操作）により吐出量の調節が可能である。
【０００３】
特開２０１０−１８５５６９号公報は、レバーハンドルが正面位置にある状態で水のみが吐出可能であり、湯の無駄遣いを防止することのできる湯水混合栓を開示する。
【先行技術文献】
【特許文献】
【０００４】
【特許文献１】特開２０１０−１８５５６９号公報
【発明の概要】
【発明が解決しようとする課題】
【０００５】
特開２０１０−１８５５６９号公報の図５及び図６には、可動弁体の開口部が図示されている。この公報の発明では、可動弁体の開口部をこれらの図示された形状とすることによって、レバーハンドルが正面位置にあるときの水のみの吐出が実現されている。
【０００６】
上記従来技術の上記開口部では、湯用弁孔側が小さくされている。よって、水側から湯側へとレバーを回動させると、温度が上がりにくい状態を経て、温度が急激に上昇しうる。また、湯水混合状態におけるレバー左右回動範囲が狭い。よって、温度調節が難しい。
【０００７】
本発明の目的は、温度調節の自由度を高めうる湯水混合栓を提供することにある。
【課題を解決するための手段】
【０００８】
本発明に係る湯水混合栓の好ましい態様は、湯用弁孔、水用弁孔及び吐出弁孔を有する固定弁体と、流路形成凹部を有する可動弁体と、湯流入孔、水流入孔及び吐出孔を有しており、上記固定弁体と上記可動弁体との間に配置された中間弁体と、左右回動及び前後回動が可能であり、上記可動弁体を操作しうるレバーと、上記レバーを前後回動可能に支持する回動体と、上記レバーの左右回動に伴う上記中間弁体のポジション切替を可能とする切替機構と、を備えている。上記レバーの左右回動により、上記可動弁体が上記中間弁体に対して旋回し、この可動弁体の旋回により、湯水混合比率の調節が可能とされている。上記レバーの前後回動により、上記可動弁体が上記中間弁体に対して移動し、この移動により吐出量が調節されている。上記ポジション切替では、上記中間弁体が、上記固定弁体に対して相対回転するとともに、上記レバーの左右回動方向とは逆方向に回転する。
【０００９】
好ましくは、上記ポジション切替により、湯水混合比率の変化が促進されている。
【００１０】
好ましくは、上記切替機構が、上記固定弁体に回動可能に取り付けられており且つ上記中間弁体と係合しているスイッチ部材と、上記レバーの左右回動に連動し且つ上記スイッチ部材を操作しうる操作部とを有している。好ましくは、上記中間弁体が、上記スイッチ部材と係合する係合部を有している。好ましくは、上記レバーの左右回動に伴い、上記操作部が、上記スイッチ部材を第一ポジションと第二ポジションとに変化させることができる。好ましくは、上記スイッチ部材が第一ポジションにあるとき、上記中間弁体が水側ポジションとなるように構成されている。好ましくは、上記スイッチ部材が第二ポジションにあるとき、上記中間弁体が湯側ポジションとなるように構成されている。
【００１１】
好ましくは、上記レバーの左右位置が、水のみが吐出する状態と湯が混合される状態との境界である湯混合境界位置を含んでいる。好ましくは、上記レバーの左右回動に伴い、上記操作部が、上記スイッチ部材を、第一ポジション、第二ポジション、及び、上記第一ポジションと上記第二ポジションとの間の遷移ポジションに変化させることができる。好ましくは、上記スイッチ部材が上記第一ポジションにあるとき、上記中間弁体が上記水側ポジションとなるように構成されている。好ましくは、上記スイッチ部材が上記第二ポジションにあるとき、上記中間弁体が上記湯側ポジションとなるように構成されている。好ましくは、上記スイッチ部材が上記遷移ポジションにあるとき、上記中間弁体が遷移ポジションとなるように構成されている。好ましくは、上記レバーが上記湯混合境界位置にあるとき、上記中間弁体が上記遷移ポジションにある。
【００１２】
好ましくは、上記スイッチ部材が、第一延在部及び第二延在部を有している。好ましくは、上記レバーが第一左右方向範囲にあるとき、上記操作部が上記第一延在部に当接し、この当接により、上記第一左右方向範囲の全体において、上記スイッチ部材が上記第一ポジションにある状態が維持されている。好ましくは、上記レバーが第二左右方向範囲にあるとき、上記操作部が上記第二延在部に当接し、この当接により、上記第二左右方向範囲の全体において、上記スイッチ部材が上記第二ポジションにある状態が維持されている。
【発明の効果】
【００１３】
温度調節の自由度が向上しうる。
【図面の簡単な説明】
【００１４】
【図１】図１は、本発明の一実施形態に係る湯水混合栓の斜視図である。
【図２】図２は、図１の湯水混合栓の一部が示された正面図である。
【図３】図３は、図１の湯水混合栓の一部が示された側面図である。
【図４】図４は、レバー組立体の斜視図である。
【図５】図５は、レバー組立体の分解斜視図である。
【図６】図６は、レバー組立体の平面図である。
【図７】図７は、図６のＡ−Ａ線に沿った断面図である。
【図８】図８は、図６のＢ−Ｂ線に沿った断面図の一部である。
【図９】図９は、図６のＣ−Ｃ線に沿った断面図の一部である。
【図１０】図１０（ａ）から（ｈ）は軸保持体を示す。図１０（ａ）は平面図であり、図１０（ｂ）は内側正面図であり、図１０（ｃ）は側面図であり、図１０（ｄ）は外側正面図であり、図１０（ｅ）は底面図であり、図１０（ｆ）は図１０（ｄ）のｆ−ｆ線に沿った断面図であり、図１０（ｇ）は図１０（ｄ）のｇ−ｇ線に沿った断面図であり、図１０（ｈ）は斜視図である。
【図１１】図１１は、ハウジングの底面図である。
【図１２】図１２は、図１１のＦ１２−Ｆ１２線に沿った断面図である。
【図１３】図１３は、前後クリック用球体を含む位置におけるレバー組立体の拡大断面図である。
【図１４】図１４（ａ）は下側部材の平面図であり、図１４（ｂ）は下側部材８８の底面図であり、図１４（ｃ）は図１４（ｂ）のｃ−ｃ線に沿った断面図であり、図１４（ｄ）は、図１４（ｂ）のｄ−ｄ線に沿った断面図である。
【図１５】図１５（ａ）は上側部材の平面図であり、図１５（ｂ）は上側部材に前後クリック用弾性部材（板バネ）が載置された状態を示す平面図であり、図１５（ｃ）は上側部材に前後クリック用弾性部材及び前後クリック用球体が載置された状態を示す平面図である。
【図１６】図１６（ａ）及び図１６（ｂ）は、上側部材の上面に沿ったレバー組立体の断面図である。図１６（ａ）では、レバー前後位置が最大吐出位置にある。図１６（ｂ）では、レバー前後位置が止水位置にある。
【図１７】図１７は、レバー組立体の断面図であり、レバー軸の中心線に沿った横方向断面図である。
【図１８】図１８は、図１７と同じ断面図であり、左右クリック用球体が凸部に係合した状態を示す。
【図１９】図１９は、図１７及び図１８と同じ断面図であり、左右クリック用球体と凸部との係合が解除された状態を示す。
【図２０】図２０は、左右回動の一例について説明するための図である。
【図２１】図２１は、本実施形態の左右回動について説明するための図である。
【図２２】図２２は、切替機構に係る部材を示す分解斜視図である。
【図２３】図２３（ａ）から（ｄ）は、切替機構を説明するための図である。図２３（ａ）は、中間弁体が水側ポジションにあるときの平面図である。図２３（ｂ）は、中間弁体が水側ポジションにあるときの斜視図である。図２３（ｃ）は、中間弁体が湯側ポジションにあるときの平面図である。図２３（ｄ）は、中間弁体が湯側ポジションにあるときの斜視図である。
【図２４】図２４は、様々な局面における各弁孔の位置関係を示す図である。
【図２５】図２５は、様々な局面における各弁孔の位置関係を示す図である。
【発明を実施するための形態】
【００１５】
以下、適宜図面が参照されつつ、好ましい実施形態に基づいて本発明が詳細に説明される。
【００１６】
図１は、本発明の一実施形態に係る湯水混合栓１０の斜視図である。図２は、湯水混合栓１０の上部の正面図である。図３は、湯水混合栓１０の上部の側面図である。湯水混合栓１０は、本体１２、ハンドル１４、吐出部１６、湯導入管１８、水導入管２０及び吐出管２２を有する。本体１２の一部は、外カバー１３で覆われている。吐出部１６は、ヘッド２４を有する。ヘッド２４では、シャワー吐出と通常吐出との切り替えが可能である。湯水混合栓１０は、例えば、キッチン、洗面台等で使用される。
【００１７】
ハンドル１４の上下動により、吐出量が調節される（図３の矢印Ｍ参照）。本実施形態では、ハンドル１４を上側に動かすほど、吐出量が増加する。逆に、ハンドル１４を下側に動かすほど吐出量が増加してもよい。また、ハンドル１４の旋回により、湯と水との混合割合が変化する。ハンドル１４の旋回により、吐水温度の調節が可能である。
【００１８】
図４は、レバー組立体４０の斜視図である。湯水混合栓１０は、その内部に、レバー組立体４０を有する。レバー組立体４０は、外カバー１３の内部に配置されている。ハンドル１４は、ネジ３０によって、レバー４６に固定されている。レバー組立体４０は、単独で取り扱い可能である。湯水混合栓１０において、レバー組立体４０は交換可能である。
【００１９】
図５は、レバー組立体４０の分解斜視図である。図６は、レバー組立体４０の平面図である。図７は、図６のＡ−Ａ線に沿った断面図である。図８は、図６のＢ−Ｂ線に沿った断面図である。図９は、図６のＣ−Ｃ線に沿った断面図である。
【００２０】
図５等が示すように、レバー組立体４０は、ハウジング４２、回動体４４、操作部４５、レバー４６、レバー軸４８、左右クリック用弾性部材５０、左右クリック用球体５２、軸保持体５４、前後クリック用球体５６、前後クリック用弾性部材５８、可動弁体６０、中間弁体６１、固定弁体６２、スイッチ部材６３、パッキン６４、パッキン６５、Ｏリング６６及びベース体６８を有する。操作部４５は回動体４４に設けられている。回動体４４と操作部４５とは一体成形されている。また、回動体４４と操作部４５とは別体であってもよい。操作部４５は、回動体４４の回転に伴って移動する。球体５２及び／又は球体５６は、クリック機構における当接部材の例である。当接部材は球体に限定されない。円滑なレバー操作及びクリック感の感触の観点から、当接部材は球体が好ましい。
【００２１】
弾性部材５０と球体５２とにより、左右クリック用の出退機構が構成されている。球体５６と弾性部材５８とにより、前後クリック用の出退機構が構成されている。
【００２２】
ベース体６８は、湯導入口７０、水導入口７２及び吐出口７４を有する。ベース体６８の下部には、これら湯導入口７０、水導入口７２及び吐出口７４のそれぞれに対応した開口が設けられており、これらの開口のそれぞれに、湯導入管１８、水導入管２０及び吐出管２２が接続されている。
【００２３】
固定弁体６２は、ベース体６８の上側に固定される。ベース体６８には、固定弁体６２を固定するための係合凸部７６と、ハウジング４２を固定するための係合凸部７７とが設けられている。固定弁体６２には、係合凸部７６と係合する係合凹部７８が設けられている。
【００２４】
固定弁体６２は、湯用弁孔８０、水用弁孔８２及び混合水用弁孔８４を有する。湯用弁孔８０は、ベース体６８の湯導入口７０に接続されている。パッキン６４により、この接続の水密状態が保持されている。水用弁孔８２は、ベース体６８の水導入口７２に接続されている。パッキン６４により、この接続の水密状態が保持されている。混合水用弁孔８４は、ベース体６８の吐出口７４に接続されている。パッキン６５により、この接続の水密状態が保持されている。更に、固定弁体６２は、軸孔８５を有する。
【００２５】
中間弁体６１、固定弁体６２及びスイッチ部材６３の詳細については、後述される。
【００２６】
可動弁体６０は、上側部材８６と、下側部材８８とを有する。上側部材８６は、下側部材８８に固定されている。この固定は、凸部９０と凹部９２との係合によって達成されている。本実施形態では、上側部材８６と下側部材８８とが互いに別部材である。別部材とすることで、上側部材８６と下側部材８８とのそれぞれにおいて、最適な材質及び製法が選択されうる。可動弁体６０は全体として一体成形されていてもよい。
【００２７】
図５では示されていないが、下側部材８８の下面には、流路形成凹部９４が設けられている（図７、図８及び図９参照）。なお、下側部材８８の上面には、レバー４６の下端９５との干渉を避けるための凹部９６が設けられている（図５参照）。
【００２８】
レバー４６の前後回動の全範囲において、レバー４６の下端と可動弁体６０（上側部材８６）とが接触しないように、凹部９６の深さが設定されている。これは、レバー４６の前後回動操作を円滑としている。
【００２９】
レバー４６の左右回動の円滑性により、左右クリック感（後述）の感受性が高まる。例えば、微小な左右クリック感が認識されやすくなる。よって、左右クリック感の設定の自由度が向上しうる。レバー４６の前後回動の円滑性により、前後クリック感（後述）の感受性が高まる。例えば、微小な前後クリック感が認識されやすくなる。よって、前後クリック感の設定の自由度が向上しうる。
【００３０】
なお、図９では、レバー軸４８及び弾性部材５０の記載が省略されている。
【００３１】
上側部材８６の上面には、レバー４６の下端９５と係合するレバー係合凹部９８が設けられている。レバー４６の下端９５は、このレバー係合凹部９８に挿入されている。レバー４６の動きに連動して、可動弁体６０が中間弁体６１の上を摺動する。
【００３２】
なお、レバー４６とレバー係合凹部９８との係合は、直接的であってもよいし、間接的であってもよい。例えば、レバー４６とレバー係合凹部９８との間に他の部材が介在していてもよい。
【００３３】
上側部材８６の上面には、回動体４４の裏面と係合しうる係合凸部９９が設けられている。この係合凸部９９の上面に、弾性部材配置部１０１が設けられている。この弾性部材配置部１０１は、前後クリック用弾性部材５８と略同一形状の凹部である。この弾性部材配置部１０１に、弾性部材５８（板バネ）が収容されている。
【００３４】
レバー４６は、軸孔１００を有する。この軸孔１００に、レバー軸４８が挿通されている。レバー軸４８はパイプ状であり、中空部を有する。このレバー軸４８の内部に、弾性部材５０が挿通されている。弾性部材５０はコイルバネである。レバー軸４８の長手方向長さと、弾性部材５０の長手方向長さＬ１（後述）とは、略同一である。レバー軸４８の両端のそれぞれに、左右クリック用球体５２が配置されている。レバー軸４８の中空部の開口部に、球体５２が配置されている。同時に、弾性部材５０の両端のそれぞれに、球体５２が配置されている。なお、弾性部材５０の長手方向長さＬ１は、レバー組立体が組み立てされた状態での弾性部材５０の両端部間の長手方向長さである。弾性部材５０の自然長は、長さＬ１よりも長い。
【００３５】
回動体４４は、基部１０２と上部１０４とを有する。上部１０４は、レバー挿入孔１０６と、軸孔１０８とを有する。基部１０２は、球体用貫通孔１１０を有する。この貫通孔１１０は長孔である。基部１０２は、可動弁体６０（の上側部材８６）に、スライド可能に取り付けられている。
【００３６】
上部１０４は、軸保持体５４をスライド挿入するための挿入部１１２と、スライド溝１１３とを有する。挿入部１１２は、上部１０４の側面の、対向する２箇所の位置に設けられている。
【００３７】
レバー４６がレバー挿入孔１０６に挿入されると、このレバー４６の軸孔１００と、回動体４４の軸孔１０８とが同軸で配置される。これら軸孔１００及び軸孔１０８に、レバー軸４８が挿入される。更にこのレバー軸の内部に、弾性部材５０が挿入される。レバー軸４８の挿入により、レバー４６が、回動可能な状態で、回動体４４に固定される。レバー挿入孔１０６の寸法は、レバー４６の回動（前後回動）を許容しうるように設定されている。なお本願では、レバー軸４８を回転軸とするレバー４６の回動が、「前後回動」とも称される。
【００３８】
ハウジング４２は、小径円筒部１２０と、大径円筒部１２２と、連結部１２４とを有する。連結部１２４は、ハウジング４２の半径方向に延在している。小径円筒部１２０は、上方開口１２６を有する。大径円筒部１２２は、下方開口１２８を有する。
【００３９】
大径円筒部１２２は、係合孔１３０を有する。この係合孔１３０が、ベース体６８の係合凸部７７と係合している。この係合により、ハウジング４２は、ベース体６８に固定されている。
【００４０】
回動体４４の上部１０４は、小径円筒部１２０に回転可能な状態で保持されている。この回転では、上部１０４の外周面１０５と、小径円筒部１２０の内周面１２１の少なくとも一部とが摺動する。なお、軸保持体５４が挿入部１１２に嵌められると、この軸保持体５４の外面は、上部１０４の円周面部と略同一の円周面を形成する。よって軸保持体５４は、回動体４４の回転を阻害しない。
【００４１】
大径円筒部１２２は、回動体４４の基部１０２、操作部４５、可動弁体６０、中間弁体６１、固定弁体６２及びスイッチ部材６３を収容している。
【００４２】
図１０（ａ）から（ｈ）は、軸保持体５４を示す。図１０（ａ）は、上面図である。図１０（ｂ）は、内側から見た平面図である。図１０（ｃ）は、側面図である。図１０（ｄ）は、外側から見た平面図である。図１０（ｅ）は、底面図である。図１０（ｆ）は、図１０（ｄ）のｆ−ｆ線に沿った断面図である。図１０（ｇ）は、図１０（ｄ）のｇ−ｇ線に沿った断面図である。図１０（ｈ）は斜視図である。
【００４３】
軸保持体５４は、レバー軸保持部１３４、球保持部１３６、レール１３８、球突出用開口１４０、及び切り欠き１４２を有する。レール１３８がスライド溝１１３に挿入されることで、軸保持体５４が回動体４４の挿入部１１２に取り付けられる。軸保持体５４が挿入部１１２に取り付けられた状態が、取付状態とも称される。この取付状態において、レバー軸保持部１３４は、レバー軸４８の端部を保持する。この取付状態において、球保持部１３６は、球体５２を保持する。球体５２は、凸部１７０（後述）との係合の有無に関わらず、弾性部材５０によって常に付勢されている。球体５２は、弾性部材５０によって外側に押圧されている。球体５２は、弾性部材５０によって球保持部１３６に押しつけられている。図１０（ｆ）及び図１０（ｇ）が示すように、球体５２の一部は、開口１４０から突出している。この突出が、左右クリック感の発現を可能とする。開口１４０の直径は、球体５２よりも小さくされる。また、開口１４０の直径は、左右クリック感の発現が可能となるような球体５２の突出量を考慮して、設定される。
【００４４】
軸保持体５４は用いられなくても良い。軸保持体５４に相当する部分が、回動体４４の一部であってもよい。また、軸保持体５４が１つであってもよい。すなわち、２つの軸保持体５４のうちの一方に相当する部分が、回動体４４の一部であってもよい。ただし、軸保持体５４を設けることで、回動体４４へのレバー４６の組み付けが容易となる。この組み付けは、次の工程を含む。
（工程ａ）：弾性部材５０が挿入されたレバー軸４８を軸孔１００及び軸孔１０８に挿入する。又は、レバー軸４８を軸孔１００及び軸孔１０８に挿入し、このレバー軸４８に弾性部材５０を挿入する。
（工程ｂ）：上記工程ａの後、レバー軸４８（弾性部材５０）の両端のそれぞれに球体５２を配置する。
（工程ｃ）：上記工程ｂの後、２つの軸保持体５４を挿入部１１２のそれぞれに挿入する。
【００４５】
上記工程ｂにおいては、例えばグリースを用いて、２つの球体５２を、弾性部材５０の両端に仮止めする。その後は、上記工程ｃがなされればよい。この組み付けでは、上記工程ｂが示すように、弾性部材５０の両端に直接球体５２を配置することができる。 軸保持体５４が用いられることで、組立の容易性が達成されている。
【００４６】
前述したように、軸保持体５４は切り欠き１４２を有する。この切り欠き１４２により、上記工程ｃにおける球体５２の脱落が抑制される。すなわち、工程ｂにおける球体５２の配置が、工程ｃにおいて維持されやすい。よって、組立の容易性が更に向上する。
【００４７】
図１１は、ハウジング４２を下から見た底面図である。よって、この図１１には、連結部１２４の下面１２５が図示されている。連結部１２４の下面１２５は、クリック発現部１４６と、クリック無発現部１４８とを有する。更に、下面１２５は、第１ストッパー１５０と第２ストッパー１５２とを有する。
【００４８】
回動体４４の基部１０２は、連結部１２４の下面１２５に当接している。回動体４４が回転すると、基部１０２が下面１２５を摺動する。第１ストッパー１５０及び第２ストッパー１５２は、回動体４４の回転範囲を規制している。
【００４９】
図１２は、図１１のＦ１２−Ｆ１２線に沿った断面図である。図１２は、クリック機構発現部１４６の断面図である。なお図１２は、通常の使用状態（図５）とは上下が逆である。すなわち図１２では、連結部１２４の下面１２５が上側とされている。
【００５０】
クリック機構発現部１４６は、複数の溝１５４を有する。クリック機構発現部１４６は、複数の突条１５６を有する。これらの溝１５４及び突条１５６は、円周に沿って延在している。溝１５４は、クリック感を発現させるための凹部の一例である。突条１５６は、クリック感を発現させるための凸部の一例である。
【００５１】
図１３は、前後クリック用球体５６が存在している位置におけるレバー組立体４０の断面図である。 前後クリック用弾性部材５８は、板バネである。この弾性部材５８は、上側部材８６の弾性部材配置部１０１に配置されている。その弾性部材５８の中央部の上側に、球体５６が載せられている。球体５６は、突条１５６との係合により、下側に変位しうる。この変位が生じた場合、球体５６は、弾性部材５８によって上側に付勢される。弾性部材配置部１０１は、この弾性部材５８の中央部が下方に弾性変形することを許容するスペース１６０を有する。
【００５２】
図１４（ａ）は、可動弁体６０の下側部材８８の平面図である。図１４（ａ）は下側部材８８を上方から見た図である。図１４（ｂ）は、下側部材８８の底面図である。図１４（ｂ）は下側部材８８を下方から見た図である。図１４（ｃ）は、図１４（ｂ）のｃ−ｃ線に沿った断面図である。図１４（ｄ）は、図１４（ｂ）のｄ−ｄ線に沿った断面図である。
【００５３】
流路形成凹部９４は、下面開口線９４Ｌを有する。下面開口線９４Ｌは、平滑面ＰＬ２における流路形成凹部９４の開口形状である。図１４（ｂ）において、下面開口線９４Ｌで囲まれた領域Ｚが破線ハッチングで示されている。
【００５４】
図１５（ａ）は、上側部材８６の平面図である。図１５（ｂ）は、上側部材８６に弾性部材５８が載置された状態の平面図である。図１５（ｃ）は、上側部材８６に弾性部材５８及び前後クリック用球体５６が載置された状態の平面図である。図１５（ａ）が示すように、弾性部材配置部１０１は、前述したスペース１６０と、弾性部材載置面１６２と、球保持部１６４とを有する。弾性部材載置面１６２は、弾性部材５８の両端部を下方から支持する。載置面１６２の周囲には段差があるので、弾性部材５８の位置ズレは生じない。球体５６は、弾性部材５８に載せられつつ、球保持部１６４によって保持されている。この球保持部１６４により、球体５６の位置ズレは生じない。図１３が示すように、回動体４４が載せられた状態において、球体５６は、回動体４４の貫通孔１１０から、上方に突出している。すなわち、球体５６の一部は、回動体４４の上面よりも突出した上方突出部である。この上方突出部が連結部１２４の下面１２５に当接する。この下面１２５は、この上方突出部と当接しうる当接面である。この上方に突出した球体５６がクリック機構発現部１４６上を移動することでクリック機構が発現する。上側部材８６は、長孔状等の多数の凹部１６６を有する。これら凹部１６６は、可動弁体６０の軽量化に寄与する。
【００５５】
図１６（ａ）及び（ｂ）は、レバー４６の前後回動に伴う上側部材８６（可動弁体６０）の動きを示す図である。この図では、可動弁体６０よりも下側の部材（中間弁体６１、固定弁体６２、スイッチ部材６３等）の記載が省略されている。
【００５６】
図１６（ａ）及び（ｂ）が示すように、レバー４６の下端部（ハッチング部分）とレバー係合凹部９８との間には、隙間Ｇｐが設けられている。
【００５７】
図１６（ａ）及び（ｂ）において両矢印Ｄ２で示されるのは、上側から見た平面視におけるレバー４６の前後回動方向である。一方、可動弁体６０（上側部材８６）の移動方向は直線方向Ｄ１である。本実施形態では、方向Ｄ１と方向Ｄ２とが相違している。すなわち湯水混合栓１０では、前後方向Ｄ２が直線方向Ｄ１に対して平行ではない。図１６（ａ）及び（ｂ）において両矢印θｘで示されるのは、直線方向Ｄ１と前後方向Ｄ２との成す角度である。角度θｘの設定により、吐水仕様の自由度が向上する。
【００５８】
上記隙間Ｇｐは、可動弁体６０が直線方向Ｄ１に沿って移動することを許容する。隙間Ｇｐの存在により、直線方向Ｄ１と前後方向Ｄ２とが相違するにも関わらず、レバー４６の下端部が可動弁体６０の移動を阻害しない。
【００５９】
図１６（ａ）に示されるように、吐出量が最大の状態においては、隙間Ｇｐは、湯水混合栓１０の使用者側から見てレバー４６の右側に位置し、この場合、レバー４６の左側には、隙間Ｇｐは実質的に存在しない。 一方、図１６（ｂ）に示されるように、止水状態においては、隙間Ｇｐは、湯水混合栓１０の使用者側から見てレバー４６の左側に位置し、この場合、レバー４６の右側には、隙間Ｇｐは実質的に存在しない。これらの構成により、隙間Ｇｐの寸法が最小限とされている。なお、図示しないが、最大吐水と止水との中間状態においては、隙間Ｇｐは、湯水混合栓１０の使用者側から見て、レバー４６の右側と左側とに存在する。図１６（ａ）において符号Ｇ１で示されるのは、レバー４６の右側の隙間距離である。図１６（ｂ）において符号Ｇ２で示されるのは、レバー４６の左側の隙間距離である。［Ｇ１＋Ｇ２］は、レバー４６の上下方向の位置に関わらず、一定である。
【００６０】
［レバーの前後回動に伴う各部の動き］
前述したように、吐出量の調節では、ハンドル１４が上下に動かされる（図３の矢印Ｍ参照）。このハンドル１４の動きにより、レバー４６の前後回動が生じる。この前後回動に連動して、レバー４６の下端９５が回動する。この下端９５とレバー係合凹部９８との係合により、可動弁体６０が動かされる。可動弁体６０は、固定弁体６２の上を直線に沿って摺動する。この摺動の間、上面６１ｅと平滑面ＰＬ２との面接触は維持される。同時に可動弁体６０は、回動体４４に対しても摺動する。
【００６１】
レバー４６の前後回動によっては、中間弁体６１のポジション切替(後述）は起こらない。
【００６２】
可動弁体６０の移動方向は、回動体４４によって規制されている。この規制は、移動方向規制機構によって達成されている。この規制により、レバーの前後回動によっては湯水の混合割合が変化しない。本実施形態では、複数の移動方向規制機構が採用されている。移動方向規制機構は、回動体４４と可動弁体６０（上側部材８６）との係合である。
【００６３】
この移動方向規制機構には、回動体４４が関与している。図５及び図２２（後述）が示すように、回動体４４（の基部１０２）の裏面には、スライド溝Ｇｖが設けられている。このスライド溝Ｇｖの中央に、貫通孔１１０が設けられている。このスライド溝Ｇｖに、係合凸部９９が嵌められている。
【００６４】
第１の移動方向規制機構は、上側部材８６の係合凸部９９と、回動体４４のスライド溝Ｇｖとの係合である。より詳細には、係合凸部９９の側面１７４（図１５（ａ）から（ｃ）参照）が、スライド溝Ｇｖの側面Ｇｖ２（図１３参照）と摺動する。このスライドの方向は、係合凸部９９の側面１７４に沿った直線方向Ｄ１（図１６参照）である。係合凸部９９は、弾性部材配置部１０１、弾性部材載置面１６２、球保持部１６４等を有しつつ、移動方向の規制にも寄与している。また、上方に突出した係合凸部９９の上に弾性部材５８及び球体５６が載置されることで、弾性部材５８及び球体５６の位置が高くなる。よって、球体５６を基部１０２の上面よりも上側に突出させるのが容易とされている。このように係合凸部９９は、移動方向の規制及び前後クリック機構の発現に寄与している。
【００６５】
貫通孔１１０は、上記スライド溝Ｇｖの底面Ｇｖ１に設けられている（図２２参照）。すなわちスライド溝Ｇｖの形成された部分は、そのスライド溝Ｇｖの深さの分だけ薄くされており、この薄肉部分に貫通孔１１０が設けられている。よって、貫通孔１１０の上下方向長さが短くされており、上記上側突出部の形成が容易とされている。
【００６６】
第２の移動方向規制機構は、上側部材８６の側面１８０（図１６（ａ）、図１６（ｂ）及び図５参照）と、回動体４４の基部１０２に設けられた下方凸部１８２との係合である。この下方凸部１８２は、図１６（ａ）及び図１６（ｂ）においてハッチングで示されている。この下方凸部１８２は、側面１８３を有している（図１６（ａ）及び図１６（ｂ）参照）。この側面１８３が、上側部材８６の側面１８０と摺動する。この係合による移動方向も、前述した直線方向Ｄ１である。側面１８０と、前述した側面１７４とは、平行である。
【００６７】
このように、同一の移動方向Ｄ１に対して複数の移動方向規制機構が設けられることで、移動方向がより確実に制御されている。
【００６８】
なお、前述したように貫通孔１１０は長孔であるが、この長孔の長手方向は、直線方向Ｄ１である。貫通孔１１０の幅及び深さは一定である。この貫通孔１１０内において、球体５６は方向Ｄ１（貫通孔１１０の長手方向）に沿って動く。この動きによって球体５６の位置が変化しても、球体５６の突出高さは変わらない。なお、長孔の長手方向において、貫通孔１１０の幅及び／又は高さを変化させることもできる。この場合、球体５６の位置の変化によって、球体５６の突出高さが変動しうる。この突出高さの変動により、レバー前後位置による前後クリック感の相違が達成されうる。
【００６９】
図１７は、レバー軸４８の中心軸線に沿ったレバー組立体４０の断面図である。小径円筒部１２０の内周面１２１には、球体摺動面１６８が設けられている。この球体摺動面１６８は、球体５２と当接しうる当接面である。球体摺動面１６８が設けられている周方向範囲は、レバー４６の旋回可能範囲に対応している。この球体摺動面１６８には、クリック発現用の凸部１７０が設けられている。左右クリック用球体５２は、弾性部材５０によって、常に、球体摺動面１６８に押しつけられている。
【００７０】
［レバーの左右回動に伴う各部の動き］
前述したように、温度の調節では、ハンドル１４が旋回される。このハンドル１４の旋回により、レバー４６も旋回（左右回動）する。レバー４６の下端９５とレバー係合凹部９８との係合により、可動弁体６０が回転する。可動弁体６０は、固定弁体６２及び中間弁体６１に対して回転する。この回転中において、上面６１ｅと平滑面ＰＬ２との面接触は維持される。この回転により、吐水の温度が調節される。このように、湯水混合栓１０は、レバー４６の左右回動によって吐水温度を調節しうる温度調節機構を有している。
【００７１】
レバー旋回の角度範囲は制約されている。前述したように、連結部１２４の下面１２５には、第１ストッパー１５０及び第２ストッパー１５２が設けられている（図１１参照）。一方、回動体４４の基部１０２は、半径方向外側に突出する外側延在部１０９を有する（図５及び図２２参照）。この外側延在部１０９には、前述した貫通孔１１０が設けられている。レバー旋回に伴い、この外側延在部１０９は、第１ストッパー１５０から第２ストッパー１５２までの範囲で円周方向に移動する。すなわち、外側延在部１０９は、周位置Ｒｘ１からＲｙ１までの範囲で円周方向に移動する（図１１参照）。この移動において、この外側延在部１０９の周方向中心位置の移動範囲は、周位置Ｒｘ２からＲｙ２までである。この周位置Ｒｘ２からＲｙ２までの角度範囲Ｒｆが、レバー４６の旋回角度範囲である。角度範囲Ｒｆは、前後クリック用球体５６の移動範囲でもある。
【００７２】
このように、外側延在部１０９とストッパー１５０、１５２との係合が、第１の旋回範囲規制機構である。更に、第２の旋回範囲規制機構が設けられている。回動体４４の基部１０２には、第２外側延在部（図示されず）が設けられている。この第２外側延在部は、周位置Ｒｘ３からＲｙ３までの範囲で円周方向に移動する（図１１参照）。これら２つの旋回範囲規制機構は連動している。外側延在部１０９が第１ストッパー１５０に当接しているとき、第２外側延在部は第２ストッパー１５２に当接している。外側延在部１０９が第２ストッパー１５２に当接しているとき、第２外側延在部は第１ストッパー１５０に当接している。２つの旋回範囲規制機構により、レバー４６を限界まで旋回したときの衝撃力が分散し、耐久性が向上する。例えば、第１ストッパー１５０及び第２ストッパー１５２の位置により、旋回範囲は自由に設定されうる。
【００７３】
このレバーの左右回動により、ポジション切替が起こる。このポジション切替の詳細については、後述される。
【００７４】
以上のような構造のレバー組立体４０は、左右クリック機構と、前後クリック機構とを有する。左右クリック機構とは、レバー４６の旋回に伴うクリック感を発現する機構である。前後クリック機構とは、レバー４６の前後回動に伴うクリック感を発現する機構である。                                    
【００７５】
［左右回動操作でのクリック感（左右クリック感）］  
左右回動操作でのクリック感は、左右クリック機構によって生じる。本願では、このクリック感が、単に左右クリック感とも称される。図１７から１９が示すように、この左右クリック感は、左右クリック用球体５２と凸部１７０との係合又は係合解除によって生じる。図１８は、図１７と同様の断面図であり、球体５２が凸部１７０と係合している状態を示す。図１９は、図１７と同様の断面図であり、球体５２と凸部１７０との係合が解除された状態を示す。レバー４６の旋回により、図１７の状態から、図１８の係合状態に移行し、更に図１９の係合解除状態に移行する。図１８に示される係合状態によって弾性部材５０が圧縮されるとともに、旋回時の抵抗力が増加する。この抵抗力の増加に起因する感覚も、左右クリック感の一例である。また、係合解除の瞬間に、振動が発生する。この振動は、典型的な左右クリック感を生じさせる。また、この係合解除の瞬間に、音が発生する。この音に起因する感覚も、左右クリック感の一例である。  
【００７６】
［前後回動操作でのクリック感（前後クリック感）］
前後回動操作でのクリック感は、前後クリック機構によって生じる。本願では、このクリック感が、単に前後クリック感とも称される。図１３は、球体５６と溝１５４とが係合した状態を示す。この前後クリック感は、球体５６と溝１５４との係合又は係合解除によって生じる。また、この前後クリック感は、球体５６と突条１５６との係合又は係合解除によって生じる。レバー４６の前後回動により、球体５６はクリック機構発現部１４６上を半径方向に移動する。この移動により、球体５６と第１の溝１５４との係合が解除され、更に移動すると、球体５６と第２の溝１５４とが係合する。これらの係合により、振動が生じうる。この振動が前後クリック感を生じさせる。これらの係合により、レバー前後回動時の抵抗力が変化する。この抵抗力の変化に起因する感覚も、前後クリック感の一例である。また、この係合の瞬間に、音が発生する。この音に起因する感覚も、前後クリック感の一例である。また、球体５６と突条１５６との係合により、レバー前後回動時の抵抗力が増加する。この抵抗力の増加に起因する感覚も、前後クリック感の一例である。
【００７７】
図２０は、ハンドル１４の旋回（左右回動）の一例について説明するための平面図である。なお本実施形態では、この図２０の仕様は採用されておらず、図２１の仕様が採用されている。
【００７８】
ハンドル１４は、左限界ＭＬから右限界ＭＲまで旋回可能である。ハンドル１４の旋回可能範囲ＲＦは、前述した図１１の角度範囲Ｒｆに対応している。範囲ＲＦの角度θｆは、範囲Ｒｆの角度θｆに等しい。図２０が示すように、この旋回可能範囲ＲＦの中心周位置Ｃ１において、ハンドル１４は正面を向く。この中心周位置Ｃ１は、図１１の中心周位置ｃ１に対応している。図２０が示すように、ハンドル１４の旋回範囲は、正面位置Ｓ１に対して左右対称である。
【００７９】
図２０が示すように、角度範囲ＲＴ１は、使用者から見て、中心周位置Ｃ１よりも右側である。この角度範囲ＲＴ１は、図１１の角度範囲Ｒｔ１に対応している。範囲ＲＴ１の角度θ１は、範囲Ｒｔ１の角度θ１に等しい。よって角度範囲ＲＴ１は、クリック無発現部１４８の配置によって自在に設定される。ハンドル１４の周位置が角度範囲ＲＴ１にあるとき、湯が混合されない。すなわち、ハンドル１４の周位置が角度範囲ＲＴ１にあるとき、水の割合が１００％である。範囲ＲＴ１は、水吐出位置である。本実施形態では、ハンドル１４が正面よりも右側にあるとき、湯が混合されない。
【００８０】
ハンドル１４の周位置が中心周位置Ｃ１にあるときも、湯が混合されない。すなわち、すなわち、ハンドル１４の周位置が中心周位置Ｃ１（正面位置Ｓ１）にあるとき、水の割合が１００％である。位置Ｃ１（位置Ｓ１）は、水吐出位置である。
【００８１】
図２０が示すように、角度範囲ＲＴ２は、使用者から見て、中心周位置Ｃ１よりも左側である。この角度範囲ＲＴ２は、図１１の角度範囲Ｒｔ２に対応している。範囲ＲＴ２の角度θ２は、範囲Ｒｔ２の角度θ２に等しい。よって角度範囲ＲＴ２は、クリック機構発現部１４６の配置によって自在に設定される。ハンドル１４の周位置が角度範囲ＲＴ２にあるとき、湯と水とが混合されるか、又は、水が無混合（湯が１００％）である。すなわち、ハンドル１４の周位置が角度範囲ＲＴ２にあるとき、水の割合が０％以上１００％未満である。範囲ＲＴ２は、湯水混合吐出位置及び湯吐出位置である。
【００８２】
この図２０の実施形態では、ハンドル１４の旋回可能範囲ＲＦが正面位置Ｓ１に対して左右対称とされたが、左右非対称とされてもよい。例えば、角度範囲ＲＴ２の角度θ２が６０度とされ、角度範囲ＲＴ１の角度θ１が４０度とされてもよい。
【００８３】
角度範囲ＲＴ２が小さすぎると、湯水混合比率を調節できるハンドル１４の角度範囲が狭くなりすぎて、湯水混合比率の変化が急激になりすぎる。この観点から、範囲ＲＴ２の角度θ２は、４０度以上が好ましく、５０度以上がより好ましく、５５度以上が特に好ましい。角度範囲ＲＴ２が大きすぎると、湯水混合比率を調節できるハンドル１４の角度範囲が広くなりすぎて、操作性が低下する。この観点から、範囲ＲＴ２の角度θ２は、１００度以下が好ましく、９０度以下がより好ましく、７０度以下が特に好ましい。
【００８４】
角度範囲ＲＴ１の角度θ１は０度とすることもできる。しかし、通常の湯水混合栓では、角度θ１が０度とはされていないため、θ１を０度とすると、使用者がハンドル１４を中心周位置Ｃ１よりも右側に過度に操作してしまうことがある。この過度な操作の繰り返しは、湯水混合栓に過度な負担を与え、湯水混合栓の耐久性に悪影響を与える場合がある。この観点から、範囲ＲＴ１の角度θ１は、１０度以上が好ましく、２０度以上がより好ましく、３０度以上が特に好ましい。角度θ１が過大である場合、水の割合が１００％である範囲が広くなりすぎて、操作性が低下する。この観点から、範囲ＲＴ１の角度θ１は、７０度以下が好ましく、６０度以下がより好ましく、５０度以下が特に好ましい。
【００８５】
角度範囲ＲＴ１と角度範囲ＲＴ２との角度比（θ１／θ２）が小さすぎると、角度θ１が小さくなりすぎたり、角度θ２が大きくなりすぎたりして、前述の問題が生じやすくなる。この観点から、角度比（θ１／θ２）は、０．２以上が好ましく、０．４以上がより好ましく、０．６以上が特に好ましい。また、角度比（θ１／θ２）が大きすぎると、角度θ１が大きくなりすぎたり、角度θ２が小さくなりすぎたりして、前述の問題が生じやすくなる。この観点から、角度比（θ１／θ２）は、０．９以下が好ましく、０．８以下がより好ましく、０．７以下が特に好ましい。
【００８６】
図２０の実施形態では、角度範囲ＲＴ１が、使用者から見て中心周位置Ｃ１よりも右側とされており、中心周位置Ｃ１よりも右側で水の割合が１００％とされている。更に、角度範囲ＲＴ２が、使用者から見て中心周位置Ｃ１よりも左側とされており、中心周位置Ｃ１よりも左側で水の割合が０％以上１００％未満とされている。これらの構成が逆にされてもよい。すなわち、角度範囲ＲＴ１が、使用者から見て中心周位置Ｃ１よりも左側とされており、中心周位置Ｃ１よりも左側で水の割合が１００％とされ、且つ、角度範囲ＲＴ２が、使用者から見て中心周位置Ｃ１よりも右側とされており、中心周位置Ｃ１よりも右側で水の割合が０％以上１００％未満とすることもできる。この場合でも、角度θ１、角度θ２及び／又は角度比（θ１／θ２）に関する前述の数値規定の全てが適用されうる。ただし、後述するように、レバー周位置と湯の混合割合との関係は多様に設定することができ、それぞれの設定に見合った効果が奏されうる。
【００８７】
ハンドル１４の周位置は、レバー４６の周位置（レバー左右位置）と同じである。角度範囲ＲＴ１は、湯が混合されないレバー左右位置である。角度範囲ＲＴ２は、湯が混合されるレバー左右位置である。「湯が混合される」とは、湯が１００％である場合を含む。
【００８８】
図１１が示すように、角度範囲Ｒｔ２の全域に、クリック機構発現部１４６が設けられている。よって、レバー左右位置が角度範囲ＲＴ２にあるとき、前後クリック機構が働く。一方、角度範囲Ｒｔ１の全域には、クリック機構発現部１４６が設けられていない。角度範囲Ｒｔ１の全域は、クリック無発現部１４８である。よって、レバー左右位置が角度範囲ＲＴ１にあるとき、前後クリック機構は働かない。
【００８９】
従って、本実施形態では、湯が混合されないレバー左右位置では、前後回動操作において前後クリック感が発現しない。また、湯が混合されるレバー左右位置において、前後回動操作で前後クリック感が発現する。よって、前後回動操作を行えば、前後クリック感の有無によって、湯が混合されているか否かが判別される。ただし、前後クリック感の設定は多様であり、それぞれの設定に見合った効果が奏されうる。
【００９０】
湯が混合されているか否かの判別は、レバー旋回に伴う左右クリック感によっても達成されうる。レバー４６の旋回動作において、水のみが吐出するレバー左右位置と、湯が混合されるレバー左右位置との境界位置Ｋ１（図２０参照）において、左右クリック感が発現するのが好ましい。この境界位置Ｋ１は、本願において、湯混合境界位置とも称される。この左右クリック感により、湯が混合されているか否かが判別される。例えば図２０の実施形態において、角度範囲ＲＴ１と角度範囲ＲＴ２との境界において、左右クリック感が発現するのが好ましい。前述した前後クリック感と、この左右クリック感とにより、湯が混合されているか否かの判別がより一層確実になされうる。前後クリック感と左右クリック感との組み合わせの設定は多様であり、それぞれの設定に見合った効果が奏されうる。
【００９１】
図２１は、第二実施形態に係る湯水混合栓を示す。以下で説明される点を除き、この図２１の実施形態は、図２０の実施形態と同じである。前述の通り、ＲＴ１は湯が混合されない角度範囲を示し、ＲＴ２は湯と水とが混合されるか、又は、水が無混合（湯が１００％）の角度範囲を示す。本実施形態では、角度範囲ＲＴ１と角度範囲ＲＴ２との境界位置Ｋ１が、正面位置Ｓ１よりも左側に位置している。よって、レバー左右位置が正面位置Ｓ１からずれている場合でも、水のみが吐出されうる。このため、意図しない湯の混合が抑制され、省エネルギーに寄与しうる。図２１において両矢印θｋで示されるのは、正面位置Ｓ１と境界位置Ｋ１との間の角度である。省エネルギーの観点から、角度θｋは、２度以上が好ましく、５度以上がより好ましく、６度以上が更に好ましい。角度範囲ＲＴ２が過度に狭くなると、吐水温度が調節しにくい場合がある。この観点から、角度θｋは、２０度以下が好ましく、１５度以下がより好ましく、１２度以下が更に好ましい。ただし、用途によって、あらゆる角度θｋが可能である。
【００９２】
境界位置Ｋ１の周位置（角度θｋ）は、例えば、前述した角度θｘによって調整される。もちろん、角度θｋは、各弁孔（中間弁体６１の孔等）及び流路形成凹部の位置、形状等によって調整されてもよい。
【００９３】
湯が混合される機会を減少させ、省エネルギーを達成する観点からは、図２０の実施形態よりも、図２１の実施形態のほうが好ましい。
【００９４】
図２２は、切替機構に関与する部材を示す分解斜視図である。図２２には、回動体４４、操作部４５、スイッチ部材６３、中間弁体６１及び固定弁体６２が示されている。
【００９５】
図２３（ａ）から（ｄ）は、組み立て状態における中間弁体６１、固定弁体６２及びスイッチ部材６３を示す。これら図２３（ａ）から（ｄ）には、操作部４５の端部（下端部）も図示されている。図２３（ａ）は、ハンドル１４が左限界ＭＬにあるときの平面図であり、図２３（ｂ）は、ハンドル１４が左限界ＭＬにあるときの斜視図である。図２３（ｃ）は、ハンドル１４が右限界ＭＲにあるときの平面図であり、図２３（ｄ）は、ハンドル１４が右限界ＭＲにあるときの斜視図である。
【００９６】
中間弁体６１は、略円盤状の部材である。中間弁体６１は、プレート状である。中間弁体６１の厚みは一定である。中間弁体６１は、湯流入孔６１ａ、水流入孔６１ｂ及び吐出孔６１ｃを有する。更に中間弁体６１は、係合部６１ｄを有する。この係合部６１ｄは、凹部である。係合部６１ｄは、スイッチ部材６３に係合している。湯流入孔６１ａ、水流入孔６１ｂ及び吐出孔６１ｃは、貫通孔である。係合部６１ｄを除き、中間弁体６１の外周面は円周面である。中間弁体６１の回転は、この円周面の中心軸周りの回転である。
【００９７】
固定弁体６２の上面には凹部Ｒｃが形成されている。この凹部Ｒｃの形状は、中間弁体６１に対応している。凹部Ｒｃの深さは、中間弁体６１の厚みに対応している。この凹部Ｒｃに中間弁体６１が嵌め込まれている。中間弁体６１は、凹部Ｒｃに、回転可能に収容されている。
【００９８】
凹部Ｒｃは、内周面ｆｃ１を有する。内周面ｆｃ１は円周面である。一方、中間弁体６１は、側面ｓｆ１を有する。側面ｓｆ１は円周面である。凹部Ｒｃ内で中間弁体６１が回転するとき、側面ｓｆ１と内周面ｆｃ１とが摺動する。
【００９９】
凹部Ｒｃの底部に、前述した湯用弁孔８０、水用弁孔８２及び混合水用弁孔８４が設けられている。これら孔８０、８２及び８４が設けられた部分を除き、凹部Ｒｃは底面Ｒｃ１を有している。この底面Ｒｃ１は平面である。
【０１００】
スイッチ部材６３は、基部６３ａと、第一延在部６３ｂと、第二延在部６３ｃとを有する。更にスイッチ部材６３は軸６３ｄを有する。この軸６３ｄは円柱状である。この軸６３ｄは、固定弁体６２の軸孔８５に挿入されている。スイッチ部材６３は、軸６３ｄを回転軸として回転しうる。図５には、スイッチ部材６３の回転の中心軸線ａｘ１が示されている。この中心軸線ａｘ１は、軸６３ｄの中心線と一致している。
【０１０１】
第一延在部６３ｂ及び第二延在部６３ｃは、例えば、板バネ状の部材である。また、第一延在部６３ｂ及び第二延在部６３ｃは、操作部４５との当接により中間弁体６１のポジション切替を可能とする程度の剛性を備えている。
【０１０２】
中間弁体６１の上面６１ｅは平面である。この上面６１ｅは、下側部材８８（可動弁体６０）の下面ＰＬ２（図５及び図１４参照）と面接触している。この下面ＰＬ２は平面である。この面接触により水密性が達成されている。
【０１０３】
中間弁体６１が凹部Ｒｃに収容された状態において、上面６１ｅは、固定弁体６２の最上面６２ｅと面一である。
【０１０４】
中間弁体６１の下面６１ｆは平面である。この下面６１ｆは、凹部Ｒｃの底面Ｒｃ１と面接触している。この面接触により水密性が達成されている。
【０１０５】
操作部４５は、回動体４４に設けられている。操作部４５は、基部１０２に設けられている。基部１０２は、回動体４４から、固定弁体６２の方向に延びている。操作部４５は棒状である。操作部４５の下端部は、スイッチ部材６３に当接しうる位置にまで至っている。操作部４５は、スイッチ部材６３を操作（回転）させうる。
【０１０６】
［湯水の流れ］
湯は、湯導入部（湯導入管１８及び湯導入口７０）を経由して、湯用弁孔８０に至る。水は、水導入部（水導入管２０及び水導入口７２）を経由して、水用弁孔８２に至る。
【０１０７】
湯用弁孔８０に到達した湯は、湯流入孔６１ａに流入する。湯流入孔６１ａと流路形成凹部９４との間に重なり領域ＸＺが存在していれば、湯は、湯流入孔６１ａから流路形成凹部９４に流入する。可動弁体６０の摺動により、領域ＸＺの面積は変化する。領域ＸＺが存在しない場合、湯は流路形成凹部９４に流入しない。領域ＸＺが存在しない場合とは、可動弁体６０（下側部材８８）の下面を構成する平滑面ＰＬ２によって湯流入孔６１ａが完全に塞がれていることを意味する。領域ＸＺの詳細については、後述される。
【０１０８】
水用弁孔８２に到達した水は、水流入孔６１ｂに流入する。水流入孔６１ｂと流路形成凹部９４との間に重なり領域ＹＺが存在していれば、水は、水流入孔６１ｂから流路形成凹部９４に流入する。可動弁体６０の摺動により、領域ＹＺの面積は変化する。領域ＹＺが存在しない場合、水は流路形成凹部９４に流入しない。領域ＹＺが存在しない場合とは、可動弁体６０（下側部材８８）の下面を構成する平滑面ＰＬ２によって水流入孔６１ｂが完全に塞がれていることを意味する。領域ＹＺの詳細については、後述される。
【０１０９】
流路形成凹部９４に到達した湯及び／又は水は、吐出孔６１ｃ、混合水用弁孔８４、吐出口７４及び吐出管２２を経由して、吐出部１６に至る。
【０１１０】
中間弁体６１のポジション切替によって、中間弁体６１の各孔と固定弁体６２の各孔との相対位置は変化する。しかし、中間弁体６１のポジションに関わらず、湯流入孔６１ａは湯用弁孔８０に連通しており、水用弁孔８２に連通することはない。また、中間弁体６１のポジションに関わらず、水流入孔６１ｂは水用弁孔８２に連通しており、湯用弁孔８０と連通することはない。結局、湯と水との混合割合は、中間弁体６１の各孔と流路形成凹部９４との相対的な位置関係によって決まる。また、吐出量も、中間弁体６１の各孔と流路形成凹部９４との相対的な位置関係によって決まる。
【０１１１】
湯と水との混合割合は、上記領域ＸＺと上記領域ＹＺとの面積比ｒ１に依存する。ハンドル１４の旋回によって、レバー４６を介して可動弁体６０が回転する。この可動弁体６０の回転によって、面積比ｒ１が変化する。この変化によって、水温が調節される。
【０１１２】
吐出量は、上記領域ＸＺと上記領域ＹＺとの面積合計Ｓａに依存する。ハンドル１４の上下動によって、レバー４６が前後回動し、可動弁体６０が直線方向Ｄ１方向に移動する。この可動弁体６０の移動によって、面積合計Ｓａが変化する。この変化によって、吐出量が調節される。このように、湯水混合栓１０は、レバー４６の前後回動によって吐出量を調節しうる吐出量調節機構を有する。
【０１１３】
面積合計Ｓａがゼロである場合、吐出がストップする。面積合計Ｓａがゼロである場合とは、平滑面ＰＬ２によって湯流入孔６１ａ及び水流入孔６１ｂが完全に塞がれていることを意味する。
【０１１４】
領域ＸＺが存在し且つ領域ＹＺが存在しない場合、レバーの上下回動位置に関わらず、水は混合されない。すなわちこの場合、湯が１００％である。本実施形態では、レバー左右位置が左限界ＭＬである場合、湯が１００％である。
【０１１５】
領域ＹＺが存在し且つ領域ＸＺが存在しない場合、レバーの上下回動位置に関わらず、湯は混合されない。すなわちこの場合、水が１００％である。よって、給湯器は作動せず、省エネルギーが達成される。
【０１１６】
本実施形態では、直線方向Ｄ１を前後方向Ｄ２と相違させることで、領域ＸＺ（湯を流入させる領域）の発生を制御している。このため、弁孔形状の制約を少なくしつつ、レバー左右位置が中心周位置Ｃ１の近傍にあるときの湯の混合を効果的に阻止しうる。よって、弁孔形状の設計自由度が向上する。この設計自由度の向上により、湯水混合比率とレバー旋回操作との関係の設定において、自由度が向上する。また、吐出量とレバー前後回動操作との関係の設定において、自由度が向上する。
【０１１７】
レバー左右位置が中心周位置Ｃ１である場合において湯の混合を防ぎ、且つ各弁孔の設計自由度を高める観点から、上記角度θｘ（図１６参照）は、５度以上が好ましく、１０度以上がより好ましく、２０度以上が特に好ましい。レバー４６の前後回動操作を円滑とする観点からは、角度θｘは、４５度以下が好ましく、４０度以下がより好ましく、３５度以下が特に好ましい。本実施形態では、角度θｘは３０度である。
【０１１８】
なお、下面開口線９４Ｌには、凸状部ｍ１が設けられている（図１４参照）。この凸状部ｍ１は、止水状態から吐出状態に移行する際に、湯又は水の流路形成凹部９４への急激な流入を緩和しうる。よって、これらの凸状部ｍ１は、ウォーターハンマーの抑制に寄与する。
【０１１９】
［切替機構］
本実施形態の切替機構には、中間弁体６１、固定弁体６２、スイッチ部材６３及び操作部４５が関与する。
【０１２０】
レバー４６の左右回動に伴い、中間弁体６１は、２つのポジションを採りうる。本願では、この２つのポジションが、水側ポジション及び湯側ポジションと称される。図２３（ａ）及び図２３（ｂ）では、中間弁体６１は、水側ポジションにある。図２３（ｃ）及び図２３（ｄ）では、中間弁体６１は、湯側ポジションにある。中間弁体６１が自転することにより、水側ポジションと湯側ポジションとの相互移行が実現される。水側ポジションと湯側ポジションとの相互移行は、角度θｍの自転により達成される（図２３（ａ）及び図２３（ｃ）参照）。この角度θｍは、固定弁体６２に対する相対回転角度である。
【０１２１】
中間弁体６１のポジション変更は、スイッチ部材６３によって達成される。スイッチ部材６３は、２つのポジションを採りうる。この２つのポジションが、第一ポジション及び第二ポジションと称される。図２３（ａ）及び図２３（ｂ）では、スイッチ部材６３は、第一ポジションにある。図２３（ｃ）及び図２３（ｄ）では、スイッチ部材６３は、第二ポジションにある。スイッチ部材６３が回動することにより、第一ポジションと第二ポジションとの相互移行が実現される。スイッチ部材６３によって水側ポジションの中間弁体６１が湯吐水側に回転すると、中間弁体６１は湯側ポジションへと移行する。第一ポジションと第二ポジションとの相互移行は、角度θｗの自転により達成される（図２３（ａ）及び図２３（ｃ）参照）。
【０１２２】
スイッチ部材６３のポジション変更は、操作部４５によって達成される。図２３（ａ）及び（ｂ）が示すように、操作部４５が第一延在部６３ｂに当接しているとき、スイッチ部材６３は第一ポジションにある。図２３（ｃ）及び（ｄ）が示すように、操作部４５が第二延在部６３ｃに当接しているとき、スイッチ部材６３は第二ポジションにある。ハウジング４２の内部には、スイッチ部材６３のポジション変更を許容する空間が存在する。この空間は、固定弁体６２の周縁部の形状によって創出されている。また、係合部６１ｄの形状は、スイッチ部材６３のポジション変更を許容する。
【０１２３】
第一延在部６３ｂにおける当接位置に関わらず、操作部４５が第一延在部６３ｂに当接していれば、スイッチ部材６３は第一ポジションとなる。第二延在部６３ｃにおける当接位置に関わらず、操作部４５が第二延在部６３ｃに当接していれば、スイッチ部材６３は第二ポジションとなる。
【０１２４】
なお、図２３（ａ）及び（ｂ）には図示されていないが、スイッチ部材６３が第一ポジションにあるとき、第二延在部６３ｃの端部は、大径円筒部１２２の内面に当接している。また、図２３（ｃ）及び（ｄ）には図示されていないが、スイッチ部材６３が第二ポジションにあるとき、第一延在部６３ｂの端部は、大径円筒部１２２の内面に当接している。
【０１２５】
操作部４５は、レバー４６の左右回動に伴って移動する。この操作部４５は、ハウジング４２（の大径円筒部１２２）の内面に沿って移動する。操作部４５は、レバー４６の左右回動を阻害しない。ハウジング４２の内部には、操作部４５の移動を許容する空間が存在する。この空間は、可動弁体６０とハウジング４２（の大径円筒部１２２）の内面との間に設けられている（図７参照）。
【０１２６】
以下において、回転方向を説明するために、「時計回り」及び「反時計回り」との用語を用いるが、これらの用語は、上側（ハンドル１４側）からみた平面視における回転方向を意味しており、図２０、図２１、図２３（ａ）、図２３（ｃ）、図２４及び図２５における回転方向を意味している。
【０１２７】
ポジション切替は、スイッチ部材６３の回転が中間弁体６１に伝達されることによって達成される。この回転の伝達は、基部６３ａと係合部６１ｄとの係合に起因する。第一ポジション（図２３（ａ））から第二ポジション（図２３（ｃ））への移行において、基部６３ａは、反時計回りに回転する。この基部６３ａの回転角度はθｗである。このスイッチ部材６３の回転に連動して、中間弁体６１は、時計回りに回転（自転）する。この中間弁体６１の回転角度はθｍである。
【０１２８】
ハンドル１４（レバー４６）を右限界ＭＲから左限界ＭＬにまで時計回り方向（左方向）に回転させると、操作部４５は、第二延在部６３ｃに当接する位置（図２３（ｃ））から、第一延在部６３ｂに当接する位置（図２３（ａ））へと移動する。この移動に伴い、基部６３ａは時計回りに回転し、中間弁体６１は反時計回りに回転する。もちろん、ハンドル１４を逆回転させると、全ての回転が逆となる。すなわち、回転方向の関係は次の通りである。
［回転連動パターン１］：レバー４６が時計回りに回転すると、スイッチ部材６３が時計回りに回転し、中間弁体６１が反時計回りに回転する。
［回転連動パターン２：］レバー４６が反時計回りに回転すると、スイッチ部材６３が反時計回りに回転し、中間弁体６１が時計回りに回転する。
【０１２９】
このように、中間弁体６１の回転方向は、レバー４６の回転方向とは逆方向である。
【０１３０】
また、中間弁体６１とスイッチ部材６３とのポジション同士の関係は次の通りである。
［ポジション関係１］：スイッチ部材６３が第一ポジションにあるとき、中間弁体６１は水側ポジションにある（図２３（ａ））。
［ポジション関係２］：スイッチ部材６３が第二ポジションにあるとき、中間弁体６１は湯側ポジションにある（図２３（ｃ））。
【０１３１】
このように、レバー４６の左右回動により、中間弁体６１のポジションが切り替わる。このポジション切替は、操作部４５が基部６３ａに当接している間に完了する。
【０１３２】
中間弁体６１が反時計周りに回転した結果、水側ポジションでは、湯流入孔６１ａと流路形成凹部９４との重なり面積（上記領域ＸＺ）が増加しやすい。よって水側ポジションでは、湯の混合割合が高くなりやすい。逆に、中間弁体６１が時計周りに回転した結果、湯側ポジションでは、水流入孔６１ｂと流路形成凹部９４との重なり面積（上記領域ＹＺ）が増加しやすい。よって湯側ポジションでは、水の混合割合が高くなりやすい。
【０１３３】
本実施形態では、中間弁体６１のポジションとして、水側ポジション及び湯側ポジションの他に、遷移ポジションが存在する。水側ポジションと湯側ポジションとの相互移行の間に遷移ポジションが生じる。操作部４５が基部６３ａに当接しているときに、中間弁体６１は遷移ポジションをとる。なお、遷移ポジションは、無くても良い。
【０１３４】
本実施形態では、スイッチ部材６３のポジションとして、第一ポジション及び第二ポジションの他に、遷移ポジションが存在する。第一ポジションと第二ポジションとの相互移行の間に遷移ポジションが生じる。操作部４５が基部６３ａに当接しているときに、スイッチ部材６３は遷移ポジションをとる。なお、遷移ポジションは、無くても良い。
【０１３５】
したがって、本実施形態におけるポジション関係は、より詳細には、次の通りである。
［ポジション関係１］：スイッチ部材６３が第一ポジションにあるとき、中間弁体６１は水側ポジションにある（図２３（ａ））。
［ポジション関係２］：スイッチ部材６３が第二ポジションにあるとき、中間弁体６１は湯側ポジションにある（図２３（ｃ））。
［ポジション関係３］：スイッチ部材６３が遷移ポジションにあるとき、中間弁体６１は遷移ポジションにある（図示省略）。
【０１３６】
中間弁体６１の遷移ポジションは、高速切替ポジションを含む。図２１が示すように、レバー左右位置として、第一切替位置ＷＬと第二切替位置ＷＲとが存在する。第一切替位置ＷＬ及び第二切替位置ＷＲは、湯混合境界位置Ｋ１と左遷移境界位置ＫＬとの間に位置する。第一切替位置ＷＬは第二切替位置ＷＲよりも左側（高温側）に位置する。上記高速切替ポジションとは、レバー左右位置が第一切替位置ＷＬから第二切替位置ＷＲまでの間にあるときの中間弁体６１のポジションである。第一切替位置ＷＬと第二切替位置ＷＲとの成す角度θｓ２（図２１参照）は、後述の角度θＬよりも小さい。
【０１３７】
本実施形態では、ポジション切替は素早い。具体的には、第一切替位置ＷＬと第二切替位置ＷＲとの間のレバー左右回動では、レバーの角速度ω１と比較して、中間弁体６１の角速度ω２は大きい。即ち、高速切替ポジションでは、レバーの角速度ω１よりも、中間弁体６１の角速度ω２の方が大きい。よって、ポジション切替に基づく湯水混合比率の調整が効果的に達成されうる。なお、上記角速度ω１は、第一切替位置ＷＬと第二切替位置ＷＲとの間の平均角速度を意味し、上記角速度ω２は、上記高速切替ポジションにおける平均角速度を意味する。なお、本願では、角速度ω１及びω２は絶対値とする。
【０１３８】
図２３（ａ）及び図２３（ｃ）が示すように、基部６３ａは、操作部４５と当接する当接面６３ｆを有している。この当接面６３ｆの形状は、中央が凹んでいる。この当接面６３ｆの形状は、中央側に向かって徐々に凹んでいる。この当接面６３ｆの形状は、上記角速度ω２の向上に寄与している。
【０１３９】
図２４及び図２５は、様々な局面における各弁孔の位置関係を示す図である。図２４及び図２５では、可動弁体６０（平滑面ＰＬ２）の下面線が破線で示されており、この破線には下面開口線９４Ｌが含まれている。図２４及び図２５では、中間弁体６１の上面線が一点鎖線で示されており、この一点鎖線には、湯流入孔６１ａの上面開口線ＡＬ及び水流入孔６１ｂの上面開口線ＢＬが含まれている。図２４及び図２５では、操作部４５の断面がハッチングで示されている。図２４及び図２５では、スイッチ部材６３が実線で示されている。紙面のスペースの関係で、図２４及び図２５では、符号が適宜省略されている。
【０１４０】
なお、図２４及び図２５では、固定弁体６２が実線で示されているが、行Ｓｔ及び行Ｍｘでは、固定弁体６２の弁孔を示す線は省略されている。行Ｄｐでは、固定弁体６２の弁孔を示す線が記載されている。なお行Ｄｐでは、中間弁体６１で隠される線も含め、固定弁体６２の弁孔を示す線が実線で記載されている。ただし、固定弁体６２の弁孔を示す線のうち、中間弁体６１の上面線と重なる部分は、一点鎖線とされている。
【０１４１】
図２４及び図２５では、各局面を示す図のそれぞれがマトリクス表（行列表）に配置されている。このマトリクス表においては、各局面を示す符号が付されている。例えば、行がＳｔであり列がＭＬである局面Ｓｔ１は、最も左側且つ最も上側に示されている。
【０１４２】
図２４において、列ＭＬの図は、レバー４６の左右位置が左限界ＭＬにある状態を示す。列ＫＬの図は、レバー４６の左右位置が、左遷移境界位置ＫＬ（図２１参照）にある状態を示す。列ＫＲの図は、レバー４６の左右位置が、右遷移境界位置ＫＲ（図２１参照）にある状態を示す。列ＭＲの図は、レバー４６の左右位置が右限界ＭＲにある状態を示す。 
【０１４３】
図２５は、位置ＫＬと位置ＫＲとの間の詳細を示している。図２５において、列ＷＬの図は、レバー４６の左右位置が第一切替位置ＷＬにある状態を示す。列ＷＲの図は、レバー４６の左右位置が第二切替位置ＷＲにある状態を示す。列Ｋ１の図は、レバー４６の左右位置が湯混合境界位置Ｋ１にある状態を示す。 
【０１４４】
図２４及び図２５において、行Ｓｔの図は、止水状態を示している。行Ｍｘの図は、最大吐出状態を示している。行Ｄｐの図は、中間弁体６１と固定弁体６２との重なり状態を示している。
【０１４５】
上述した左遷移境界位置ＫＬとは、中間弁体６１が遷移ポジションに移行するレバー境界位置のうちの左側を意味する（図２２参照）。また右遷移境界位置ＫＲとは、中間弁体６１が遷移ポジションに移行するレバー境界位置のうちの右側を意味する（図２２参照）。
【０１４６】
図２４が示すように、レバー左右位置が左限界ＭＬと左遷移境界位置ＫＬとの間にあるとき、スイッチ部材６３は第一ポジションにある。レバー左右位置が左限界ＭＬと左遷移境界位置ＫＬとの間にあるとき、中間弁体６１は水側ポジションにある。
【０１４７】
図２４が示すように、レバー左右位置が左遷移境界位置ＫＬから右遷移境界位置ＫＲまでにあるとき、スイッチ部材６３は遷移ポジション（図示省略）にある。レバー左右位置が左遷移境界位置ＫＬから右遷移境界位置ＫＲまでにあるとき、中間弁体６１は遷移ポジション（図示省略）にある。
【０１４８】
図２４が示すように、レバー左右位置が右限界ＭＲと右遷移境界位置ＫＲとの間にあるとき、スイッチ部材６３は第二ポジションにある。レバー左右位置が右限界ＭＲと右遷移境界位置ＫＲとの間にあるとき、中間弁体６１は湯側ポジションにある。
【０１４９】
レバー左右位置が第一切替位置ＷＬ、第二切替位置ＷＲ及び湯混合境界位置Ｋ１にあるとき、スイッチ部材６３は遷移ポジションにある（図２５参照）。上述したように、レバー左右位置が第一切替位置ＷＬから第二切替位置ＷＲまでの間にあるとき、中間弁体６１が高速切替ポジションをとる。
【０１５０】
図２４が示すように、止水状態においてレバー４６を左限界ＭＬから右限界ＭＲにまで左右回動させると、局面Ｓｔ１、局面Ｓｔ２、局面Ｓｔ３、局面Ｓｔ４の順序で局面が移行する。もちろん、レバー４６を逆回転させれば、逆の順序で局面が移行する。
【０１５１】
図２５が示すように、止水状態においてレバー４６を第一切替位置ＷＬから湯混合境界位置Ｋ１にまで左右回動させると、局面Ｓｔａ、局面Ｓｔｂ、局面Ｓｔｃの順序で局面が移行する。もちろん、レバー４６を逆回転させれば、逆の順序で局面が移行する。
【０１５２】
図２４が示すように、最大吐出状態においてレバー４６を左限界ＭＬから右限界ＭＲにまで左右回動させると、局面Ｍｘ１、局面Ｍｘ２、局面Ｍｘ３、局面Ｍｘ４の順序で局面が移行する。もちろん、レバー４６を逆回転させれば、逆の順序で局面が移行する。
【０１５３】
図２５が示すように、最大吐出状態においてレバー４６を第一切替位置ＷＬから湯混合境界位置Ｋ１にまで左右回動させると、局面Ｍｘａ、局面Ｍｘｂ、局面Ｍｘｃの順序で局面が移行する。もちろん、レバー４６を逆回転させれば、逆の順序で局面が移行する。
【０１５４】
局面Ｍｘ１において、上記領域ＸＺがハッチングで示されている。局面Ｍｘ１では、上記領域ＹＺは生じない。局面Ｍｘ１では、湯のみ（湯１００％）が吐出される。
【０１５５】
局面Ｍｘ２において、上記領域ＸＺ及び上記領域ＹＺがハッチングで示されている。局面Ｍｘ２では、湯と水とが混合されて吐出される。
【０１５６】
局面Ｍｘ３において、上記領域ＹＺがハッチングで示されている。局面Ｍｘ３では、上記領域ＸＺは生じない。局面Ｍｘ３では、水のみ（水１００％）が吐出される。
【０１５７】
局面Ｍｘ４において、上記領域ＹＺがハッチングで示されている。局面Ｍｘ４では、上記領域ＸＺは生じない。局面Ｍｘ４では、水のみ（水１００％）が吐出される。
【０１５８】
局面Ｍｘａにおいて、上記領域ＸＺ及び上記領域ＹＺがハッチングで示されている。局面Ｍｘａでは、湯と水とが混合されて吐出される。
【０１５９】
局面Ｍｘｂにおいて、上記領域ＸＺ及び上記領域ＹＺがハッチングで示されている。局面Ｍｘｂでは、湯と水とが混合されて吐出される。ただし、湯の混合割合は非常に少ない。
【０１６０】
局面Ｍｘｃにおいては、上記領域ＸＺが消失し、上記領域ＹＺのみとなる。局面Ｍｘｃでは、水のみ（水１００％）が吐出される。
【０１６１】
左遷移境界位置ＫＬから右遷移境界位置ＫＲまでの遷移ポジションにおいて、中間弁体６１の回転方向は、レバーの左右回動方向とは逆である。よって、少ない左右回動操作で、大きな左右回動操作をしたのと同様の効果（以下、レバー回動促進効果ともいう）が生じる。また、特に第一切替位置ＷＬから第二切替位置ＷＲまでの高速切替ポジションにより、より迅速なポジション切替が達成される。
【０１６２】
局面Ｄｐ１からＤｐ４が示すように、中間弁体６１のポジションに関わらず、湯流入孔６１ａは湯用弁孔８０に連通しており、水用弁孔８２に連通することはない。また、中間弁体６１のポジションに関わらず、水流入孔６１ｂは水用弁孔８２に連通しており、湯用弁孔８０と連通することはない。上述の通り、湯と水との混合割合は、中間弁体６１の各孔と流路形成凹部９４との相対的な位置関係によって決まる。また、吐出量も、中間弁体６１の各孔と流路形成凹部９４との相対的な位置関係によって決まる。
【０１６３】
本実施形態では、図２１及び図２４の実施形態が採用されている。レバー左右位置が左限界ＭＬのときに湯１００％の吐出がなされ、レバー左右位置が左限界ＭＬと境界Ｋ１との間にあるとき湯と水とが混合され、レバー左右位置が境界Ｋ１から右限界ＭＲまでにあるとき水１００％の吐出がなされる。湯混合境界位置Ｋ１は、左遷移境界位置ＫＬから右遷移境界位置ＫＲまでの間に位置する。
【０１６４】
［遷移ポジションにおける温度変化促進効果］
本実施形態では、レバー４６が湯混合境界位置Ｋ１にあるとき、中間弁体６１が遷移ポジションにある。従って、レバー４６が湯混合境界位置Ｋ１近傍を回転しているときに、湯水混合比率の変化を促進させることができる。すなわち、レバー４６を湯水混合の位置から水のみの位置へと左右回動させるとき、水のみの吐出への移行が加速される。また、レバー４６を水のみの位置から湯水混合の位置へと左右回動させるとき、湯の混合比率の上昇を加速することができる。また一般に、湯流入孔６１ａに供給される湯の供給圧は、水流入孔６１ｂに供給される水の供給圧よりも低い。これは、主として、湯が給湯装置を経由して湯水混合栓１０に到達することに起因する。よって、水のみの吐出から湯水混合へと移行するとき、湯が水の勢いに負けてしまい、湯の混合割合がなかなか高くならない。すなわち、レバー４６を湯側に回動させても、吐水温度が円滑に上昇しにくい。本実施形態では、水のみの吐出から湯水混合へと移行するとき、中間弁体６１が水側ポジションへと移行するため、上記領域ＸＺが効率的に拡がり、領域ＹＺに対する領域ＸＺの比率が迅速に上昇しうる。よって、吐水温度を円滑に上昇させることができる。このように本実施形態では、遷移ポジションにおける温度変化促進効果が達成されうる。
【０１６５】
レバーの左右回転方向と中間弁体６１の回転方向とが逆であるため、上述のレバー回動促進効果が生じうる。上記温度変化促進効果は、このレバー回動促進効果の一例である。このレバー回動促進効果により、例えば、レバー操作を円滑に行うことが困難な人（高齢者、障害者等）にとって、使いやすい湯水混合栓が実現されうる。
【０１６６】
本実施形態において、上記操作部４５が第一延在部６３ｂに当接しているときのレバー４６の左右範囲が、第一左右方向範囲Ｒ１とされる。また、上記操作部４５が第二延在部６３ｃに当接しているときのレバー４６の左右範囲が、第二左右方向範囲Ｒ２とされる。第一左右方向範囲Ｒ１及び第二左右方向範囲Ｒ２が図２１に示されている。
【０１６７】
操作部４５が第一延在部６３ｂに当接しており、この当接により、上記第一左右方向範囲Ｒ１の全体において、スイッチ部材６３の上記第一ポジションが維持されている。よって、上記第一左右方向範囲Ｒ１の全体において、中間弁体６１の水側ポジションが維持されている。水側ポジションでは、湯の混合比率が高くなりやすい。
【０１６８】
操作部４５が第二延在部６３ｃに当接しており、この当接により、上記第二左右方向範囲Ｒ２の全体において、スイッチ部材６３の上記第二ポジションが維持されている。よって、上記第二左右方向範囲Ｒ２の全体において、中間弁体６１の湯側ポジションが維持されている。湯側ポジションでは、水の混合比率が高くなりやすい。湯側ポジションでは、水のみの吐出が達成されやすい。
【０１６９】
このように、第一延在部６３ｂ及び第二延在部６３ｃにより、中間弁体６１のポジションが制御されている。なお、本実施形態では、あらゆるレバー左右方向位置において、操作部４５がスイッチ部材６３のいずれかの位置に当接している。よってレバー左右方向の回動範囲の全体において、中間弁体６１のポジションが制御されている。
【０１７０】
図２１において両矢印θＲで示されているのは、湯混合境界位置Ｋ１と右遷移境界位置ＫＲとの成す角度である。図２１において両矢印θＬで示されているのは、湯混合境界位置Ｋ１と左遷移境界位置ＫＬとの成す角度である。図２１において両矢印θｓ２で示されているのは、第二切替位置ＷＲと第一切替位置ＷＬとの成す角度である。
【０１７１】
遷移ポジションにおける温度変化促進効果を高める観点から、角度θＲは、１度以上が好ましく、３度以上がより好ましく、５度以上が更に好ましい。角度θｓを過大としない観点から、角度θＲは、１２度以下が好ましく、１１度以下がより好ましく、１０度以下が更に好ましい。上記実施形態では、上記角度θＲが約６度とされた。
【０１７２】
ポジション切替時における衝撃を緩和する観点から、角度θｓ２は、１度以上が好ましく、２度以上がより好ましく、３度以上が更に好ましい。ポジション切替時における温度変化促進効果を高める観点から、角度θｓ２は、１０度以下が好ましく、８度以下がより好ましく、５度以下が更に好ましい。上記実施形態では、上記角度θｓ２が約４度とされた。
【０１７３】
ポジション切替の迅速性の観点から、上記角度θｓ２は、上記角度θｍ（図２３（ａ）及び（ｃ）参照）よりも小さいのが好ましい。
【０１７４】
遷移ポジションにおける温度変化促進効果を高める観点から、角度θＬは、１度以上が好ましく、３度以上がより好ましく、５度以上が更に好ましい。角度θｓを過大としない観点から、角度θＬは、２０度以下が好ましく、１８度以下がより好ましく、１６度以下が更に好ましい。上記実施形態では、上記角度θＬが約１４度とされた。
【０１７５】
中間弁体６１の、レバー４６の左右回動方向に対する逆回転は、中間弁体６１の、可動弁体６０の回転方向に対する逆回転を意味する。この逆回転により、中間弁体６１と可動弁体６０との相対回転速度が高まる。この相対回転速度の向上は、レバー４６を早く回転させるのと同様の効果がある。また、上記逆回転により、レバー４６の左右回動角度よりも、中間弁体６１と可動弁体６０との相対回転角度が大きくなる。従って、限られたレバー４６の左右回動範囲を有効に活用することができ、温度調節の自由度を高めることができる。そして、切替機構に係る様々な仕様を変更することにより、多様な温度調節が可能となる。変更可能な上記仕様を例示すると次の通りである。
（ａ）ポジション切替における中間弁体６１の回転角度θｍ
（ｂ）中間弁体６１の遷移ポジションの有無
（ｃ）上記２つの角速度の比（ω１／ω２）
（ｄ）左遷移境界位置ＫＬと右遷移境界位置ＫＲとの間のレバー左右回転角度θｓ（図２１参照）
（ｅ）湯混合境界位置Ｋ１と左遷移境界位置ＫＬとの位置関係
（ｆ）湯混合境界位置Ｋ１と右遷移境界位置ＫＲとの位置関係
（ｇ）中心周位置Ｃ１と左遷移境界位置ＫＬとの位置関係
（ｈ）中心周位置Ｃ１と右遷移境界位置ＫＲとの位置関係
これらの仕様変更は、例えば、スイッチ部材６３の位置、基部６３ａの長さ（回転半径）、係合部６１ｄの形状等によって達成されうる。
【０１７６】
ポジション切替の効果を高める観点から、上記角度θｍは、３度（ｄｅｇｒｅｅ）以上が好ましく、５度以上がより好ましく、８度以上が更に好ましい。湯流入孔６１ａへの水の流入、又は、水流入孔６１ｂへの湯の流入を防止する観点から、上記角度θｍは、２０度以下が好ましく、１５度以下がより好ましく、１３度以下が更に好ましい。ただし、温度調節の多様性の観点からは、湯流入孔６１ａへの水の流入の有無、及び／又は、水流入孔６１ｂへの湯の流入の有無が切替可能となるように、角度θｍが設定されてもよい。本実施形態では、角度θｍは、１０度とされた。
【０１７７】
なお、上記実施形態では、右遷移境界位置ＫＲが中心周位置Ｃ１と一致している（図２１参照）。
【０１７８】
湯が混合されているか否かは、吐水の温度のみからは判別しにくいことがある。例えば、湯の混合割合が少ない場合、水が１００％の場合と比較して、温度がそれほど高くならない。よってこの場合、吐水の温度のみからは湯の混合に気がつかないことがある。また、湯の混合割合が高い場合であっても、給湯器等からの加熱装置で加温された湯が蛇口に至るまでの間、吐水の温度が上がらない場合がある。この場合も、吐水の温度のみからは湯の混合に気がつかないことがある。また、ハンドル１４の周位置によっても、湯が混合されているか否かが正確に判別できない場合がある。このような場合、使用者の意図に反して、湯が混合されることがある。すなわち使用者は湯が混合されていない（水が１００％の）吐水を使用しているつもりであるにも関わらず、実際には湯が混合されていることがある。この場合、エネルギーが無駄となる。省エネルギーの観点から、好ましい実施形態の一例は、次の仕様ａ、仕様ｂ、仕様ｃ及び仕様ｄから選択される１又は２以上を有する。
［仕様ａ］：湯混合境界位置Ｋ１が中心周位置Ｃ１又はそれよりも湯側（図２１における左側）に位置する。
［仕様ｂ］：湯混合境界位置Ｋ１が左遷移境界位置ＫＬから右遷移境界位置ＫＲまでの間に位置する。
［仕様ｃ］：左遷移境界位置ＫＬから右遷移境界位置ＫＲまでの間に左右クリック感が生じる。
［仕様ｄ］：左遷移境界位置ＫＬ及び／又は右遷移境界位置ＫＲにおいて左右クリック感が生じる。
【０１７９】
本実施形態では、ハウジング４２の下面（連結部１２４の下面１２５）の仕様を変えることによって、クリック感が生じる角度範囲は自由に設計されうる。例えば、クリック機構発現部１４６の位置を変えることによって、前後クリック感が発現するレバー左右位置を自在に変更することができる（図１１参照）。 
【０１８０】
更に、例えば、クリック機構発現部１４６は、例えば、角度範囲Ｒｆ２にも設けることができる（図１１参照）。よって、クリック機構発現部１４６は、本実施形態の如く角度範囲Ｒｆのみに設けても良いし、角度範囲Ｒｆ及び角度範囲Ｒｆ２の両方に設けても良いし、角度範囲Ｒｆ２のみに設けることもできる。したがって、前後クリック感及び左右クリック感の設計自由度は高い。
【０１８１】
ハウジング４２の下面の面積は、比較的広い。よって、凹部及び／又は凸部の設計自由度が高い。ハウジング４２に凹部及び／又は凸部を設けることにより、クリック感の設計自由度が高められている。
【０１８２】
このクリック機構発現部１４６は周方向において間欠していない。これと異なり、クリック機構発現部１４６は、周方向において間欠的に設けられても良い。この場合、前後クリック感を発現するレバー左右位置を間欠的に設けることが出来る。
【０１８３】
このクリック機構発現部１４６は、レバー前後回動範囲の全体に設けられている。これと異なり、クリック機構発現部１４６は、レバー前後回動範囲の一部に設けられても良い。この場合、前後クリック感を発現するレバー前後範囲を限定的とすることができる。
【０１８４】
また、クリック感の仕様も自在に設計されうる。例えば、溝１５４又は突条１５６の数、間隔、形状、高さ等を変えることで、様々なクリック感が得られうる。クリック感の創出にハウジング４２の下面を用いたことで、クリック感の設計自由度は高められている。
【０１８５】
このように、クリック機構発現部１４６の形態を変更することで、前後クリック感及び左右クリック感を多様に設定することができる。よって前後クリック感及び左右クリック感の設定が容易とされうる。
【０１８６】
クリック感は、人によって感知される。クリック感は、視覚では得られない様々な情報を使用者に提供しうる。好ましくは、クリック感は、聴覚及び／又は触覚によって感知される。感知性を高める観点から、聴覚と触覚とが併用されてもよい。聴覚により感知されるクリック感として、音が挙げられる。触覚によって感知されるクリック感として、レバー操作時における抵抗感の変化及び振動が例示される。クリック感の継続時間は限定されない。典型的なクリック感として、比較的短時間の抵抗変化及び音が挙げられるが、比較的長時間のクリック感も可能である。
【０１８７】
上記実施形態において、左右クリック感及び上下クリック感は、連結部１２４の下面１２５の形状を変更するだけで容易に実現されうる。レバー組立体４０では、クリック感の設計自由度が高い。
【０１８８】
上記実施形態のクリック機構は、弾性部材５０又は弾性部材５８に球体を保持させるという構成を有する。この構成により、クリック感の設計自由度は高い。例えば、弾性部材５０、５８の弾性係数を変えるだけで、クリック感の調整が容易に達成されうる。
【０１８９】
球体５２，５６の直径を変化させると、当接面側への球体の突出量が変化しうる。クリック機構の発現に球体５２、５６を利用することで、球体の直径を変えるだけでも、クリック感の変更が達成されうる。よって、クリック感の調整は容易である。
【０１９０】
なお、上記実施形態では、ハウジング４２は全体として一体成形されている。ハウジング４２は、別個に成形された部材が組み合わされていても良い。
【０１９１】
操作部４５とスイッチ部材６３との当接によって左右クリック感を生じさせてもよい。例えば、基部６３ａの第二延在部６３ｃに凸部又は凹部を設けることにより、左右クリック感が生じうる。この場合、上記［仕様ｃ］を容易に達成することができる。又、第一延在部６３ｂ及び／又は第二延在部６３ｃに凸部又は凹部を設けることにより、左右クリック感が生じうる。この場合、左右クリック感が生じるレバー左右位置の設計自由度が高い。
【０１９２】
図１７において両矢印Ｌ１で示されているのは、球体５２が凸部１７０に係合していない状態における弾性部材５０の長手方向長さである。上部１０４の直径が小さすぎると、湯水混合栓１０に必要な機能が実現できないことがある。この観点から、長さＬ１は、１５ｍｍ以上が好ましく、１７ｍｍ以上がより好ましい。また、過度に大型化された湯水混合栓１０では、商品価値が低下する。この観点から、長さＬ１は、３０ｍｍ以下が好ましく、２５ｍｍ以下がより好ましい。本実施形態では、長さＬ１は１９ｍｍとされた。
【０１９３】
明確な左右クリック感を得る観点から、凸部１７０（図１７参照）の高さＨａは、０．０５ｍｍ以上が好ましく、０．１ｍｍ以上がより好ましく、０．１５ｍｍ以上が更に好ましい。高さＨａが過大である場合、ハウジング４２又は回動体４４の厚みが薄くなりすぎて耐久性が低下しうる。この観点から、高さＨａは、１．０ｍｍ以下が好ましく、０．５ｍｍ以下がより好ましく、０．４ｍｍ以下が更に好ましい。上記実施形態において、凸部１７０の高さＨａは０．３ｍｍとされた。
【０１９４】
明確な前後クリック感を得る観点から、凸部１５６の高さＨｂ（溝１５４の深さＤｖ）は、０．０５ｍｍ以上が好ましく、０．１ｍｍ以上がより好ましく、０．１５ｍｍ以上が更に好ましい。高さＨｂが過大である場合、ハウジング４２又は回動体４４の厚みが薄くなりすぎて耐久性が低下しうる。この観点から、高さＨｂ（深さＤｖ）は、１．０ｍｍ以下が好ましく、０．５ｍｍ以下がより好ましく、０．４ｍｍ以下が更に好ましい。上記実施形態において、凸部１５６の高さＨｂは０．３ｍｍとされた。
【０１９５】
組立容易性の観点、及び、明確な左右クリック感を得る観点から、球体５２の直径Ｐａは、１．０ｍｍ以上が好ましく、２．０ｍｍ以上がより好ましく、３．０ｍｍ以上が更に好ましい。直径Ｐａが過大である場合、レバー軸４８の直径が過大となったり、レバー組立体４０が過度に大型化することがある。また、この大型化を避けるために、ハウジング４２等が過度に薄くされうる。これらの観点から、直径Ｐａは５．０ｍｍ以下が好ましく、４．０ｍｍ以下が更に好ましい。上記実施形態において、球体５２の直径Ｐａは３．０ｍｍとされた。
【０１９６】
組立容易性の観点、及び、明確な前後クリック感を得る観点から、球体５６の直径Ｐｂは、１．０ｍｍ以上が好ましく、２．０ｍｍ以上がより好ましく、３．０ｍｍ以上が更に好ましい。直径Ｐｂが過大である場合、上側突出部の高さを確保するための貫通孔１１０の幅が過大となる。また、直径Ｐｂが過大である場合、この球体５６に係合しうる溝１５４の幅も大きくされるが、この場合、限られたスペースの下面１２５に、必要な数の溝１５４を設けることが難しくなることがある。これらの観点から、直径Ｐｂは５．０ｍｍ以下が好ましく、４．０ｍｍ以下が更に好ましい。上記実施形態において、球体５６の直径Ｐｂは３．０ｍｍとされた。
【０１９７】
ハウジングの材質として、樹脂及び金属が例示される。この樹脂には、繊維強化樹脂も含まれる。クリック機構が発現する際に発生する音は、心地よく且つ聞き取りやすいのが好ましい。ハウジングの材質は、この音に影響する。良好な音を得る観点、耐久性、耐錆性、及び衛生面を考慮すると、ハウジングの材質として、ステンレス合金及び繊維強化樹脂が好ましい。上記実施形態では、ガラス繊維強化ＰＰＳ樹脂が用いられた。ＰＰＳ樹脂とはポリフェニレンスルフィド樹脂である。
【０１９８】
回転体の材質として、樹脂及び金属が例示される。この樹脂には、繊維強化樹脂も含まれる。レバー操作時に金属同士が摺動すると、不快な音が発生する場合がある。また摺動面の材質は摩擦力を変動させるため、レバーの操作性に影響する。操作性及び不快音回避の観点から、回転体の材質としては、樹脂が好ましく、強化繊維を含まない樹脂がより好ましい。上記実施形態では、強化繊維を含まないＰＯＭ樹脂が用いられた。ＰＯＭ樹脂とは、ポリアセタール樹脂である。
【０１９９】
上記軸保持体の材質として、樹脂及び金属が例示される。この樹脂には、繊維強化樹脂も含まれる。レバー操作時に金属同士が摺動すると、不快な音が発生する場合がある。また摺動面の材質は摩擦力を変動させるため、レバーの操作性に影響する。操作性及び不快音回避の観点から、軸保持体の材質としては、樹脂が好ましく、強化繊維を含まない樹脂がより好ましい。上記実施形態では、強化繊維を含まないＰＯＭ樹脂が用いられた。
【０２００】
上記球体の材質として、樹脂及び金属が例示される。クリック機構の音及び耐久性の観点から、金属が特に好ましい。上記実施形態ではステンレス合金が用いられた。
【０２０１】
旋回操作時のクリック機構に用いられる上記弾性体として、ゴム及びコイルバネが例示される。繰り返しの使用による劣化を抑制する観点、及び、クリック感の調整の自由度の観点から、コイルバネが好ましい。このコイルバネの材質としては、バネ鋼材が好ましい。上記実施形態では、バネ鋼材のコイルバネが用いられた。
【０２０２】
前後回動操作時のクリック機構に用いられる上記弾性体として、ゴム、板バネ及びコイルバネが例示される。上下方向のスペースを抑制する観点から、板バネが好ましい。上記実施形態では、バネ鋼材の板バネが用いられた。
【０２０３】
上記レバー軸の材質として、樹脂及び金属が例示される。この樹脂には、繊維強化樹脂も含まれる。水による腐食を抑制する観点から、ステンレス合金及び樹脂が好ましい。上記実施形態では、ステンレス合金が用いられた。
【０２０４】
可動弁体の上側部材の材質として、樹脂及び金属が例示される。この樹脂には、繊維強化樹脂も含まれる。レバー操作時に金属同士が摺動すると、不快な音が発生する場合がある。不快音回避の観点から、上側部材の材質としては、樹脂が好ましい。また、この上側部材を樹脂とすることで、可動弁体全体としての製造コストが抑制される。上記実施形態では、強化繊維を含まないＰＯＭ樹脂が用いられた。
【０２０５】
可動弁体の下側部材の材質として、樹脂（繊維強化樹脂を含む）、金属及びセラミックが例示される。固定弁体との摺動における耐摩耗性の観点から、セラミックが好ましい。このセラミックは、水に対する腐食性、強度及び耐久性の観点からも好ましい。上記実施形態では、セラミックが用いられた。
【０２０６】
固定弁体の材質として、樹脂（繊維強化樹脂を含む）、金属及びセラミックが例示される。可動弁体（下側部材）との摺動における耐摩耗性の観点から、セラミックが好ましい。このセラミックは、水に対する腐食性、強度及び耐久性の観点からも好ましい。上記実施形態では、セラミックが用いられた。
【０２０７】
パッキン及びＯリングの材質として、樹脂及びゴム材（加硫ゴム）が例示される。伸縮性により、組立性を向上し、製造誤差（寸法誤差等）が緩和されうる。これらの観点から、ゴム材が好ましい。上記実施形態では、ゴム材が用いられた。
【０２０８】
ベース体の材質として、樹脂（繊維強化樹脂を含む）及び金属が例示される。不快音回避及び強度の観点から、繊維強化樹脂が好ましく、ガラス繊維強化樹脂がより好ましい。上記実施形態では、ガラス繊維強化ＰＰＳ樹脂が用いられた。
【０２０９】
上記の各部材の材質として樹脂が用いられる場合、ＰＯＭ樹脂及びＰＰＳ樹脂が好ましい。ＰＯＭ樹脂は、長時間の使用、及び広い温度範囲での使用において、機械的特性（引張強度等）の経時変化が少ない。また、ＰＯＭ樹脂は、繰り返しの応力負荷に対する耐疲労性に優れる。更にＰＯＭ樹脂では、吸水による寸法変化が小さい。ＰＰＳ樹脂は、強度及び剛性に優れ、耐摩耗性にも優れる。更にＰＰＳ樹脂は、成形時の収縮率が小さく、高い寸法精度を達成しうる。これらの特性を更に高めるために、上記樹脂は、ガラス繊維等の短繊維で強化されるのも好ましい。
【０２１０】
中間弁体の材質として、金属、樹脂及びセラミックスが例示される。水による腐食を抑制する観点及び耐久性の観点から、中間弁体の材質は、セラミックが好ましい。耐久性の観点から、固定弁体の材質もセラミックが好ましい。耐久性の観点から、可動弁体の平滑面ＰＬ２の材質もセラミックが好ましい。接触面同士の材質が同一である場合、摩擦係数が増大し、円滑な摺動の妨げとなることがある。ポジション切替及びレバー操作を円滑とする観点から、平滑面ＰＬ２と中間弁体とで材質を相違させるのが好ましく、平滑面ＰＬ２と中間弁体とでセラミックの種類を相違させるのがより好ましい。ポジション切替及びレバー操作を円滑とする観点から、固定弁体と中間弁体とで材質を相違させるのが好ましく、固定弁体と中間弁体とでセラミックの種類を相違させるのがより好ましい。上記実施形態では、以下の材質が採用された。
・中間弁体６１：炭化ケイ素（ＳｉＣ）
・固定弁体６２：アルミナ
・可動弁体６０の平滑面ＰＬ２：アルミナ
【０２１１】
ポジション切替を円滑とするために、摩擦係数抑制層が設けられてもよい。この摩擦係数抑制層として、シリコーンが好ましい。この摩擦係数抑制層は、中間弁体６１の上面６１ｅ又は平滑面ＰＬ２の少なくともいずれかに設けられるのが好ましい。この摩擦係数抑制層は、中間弁体６１の下面６１ｆ又は固定弁体６２の当接面Ｒｃ１の少なくともいずれかに設けられるのが好ましい。
【０２１２】
スイッチ部材６３の材質として、金属及び樹脂が例示される。水による腐食を抑制する観点及び強度の観点から、スイッチ部材６３の材質は、ステンレス鋼又はガラス繊維強化樹脂が好ましい。不快な音の発生を抑制する観点からは、スイッチ部材６３の材質はガラス強化繊維とされるのが好ましい。上記実施形態では、スイッチ部材６３の材質はガラス強化繊維とされた。
【０２１３】
本願には、請求項（独立形式請求項を含む）に係る発明に含まれない他の発明も記載されている。本願の請求項及び実施形態に記載されたそれぞれの形態、部材、構成及びそれらの組み合わせは、それぞれが有する作用効果に基づく発明として認識される。
【０２１４】
上記各実施形態で示されたそれぞれの形態、部材、構成等は、これら実施形態の全ての形態、部材又は構成をそなえなくても、個々に、本願請求項に係る発明をはじめとした、本願記載の全発明に適用されうる。
【産業上の利用可能性】
【０２１５】
本発明は、あらゆる用途の湯水混合栓に適用されうる。
【符号の説明】
【０２１６】
１０・・・湯水混合栓
１２・・・混合栓本体
１４・・・ハンドル
１６・・・吐出部
１８・・・湯導入管
２０・・・水導入管
２２・・・吐出管
４０・・・レバー組立体
４２・・・ハウジング
４４・・・回動体
４６・・・レバー
４８・・・レバー軸
５０・・・左右クリック用弾性部材
５２・・・左右クリック用球体（当接部材）
５４・・・軸保持体
５６・・・前後クリック用球体（当接部材）
５８・・・前後クリック用弾性部材
６０・・・可動弁体
６１・・・中間弁体
６１ａ・・・湯流入孔
ＡＬ・・・湯流入孔の上面開口線
６１ｂ・・・水流入孔
ＢＬ・・・水流入孔の上面開口線
６１ｃ・・・吐出孔
６１ｄ・・・係合部（凹部）
６１ｅ・・・中間弁体の上面
６１ｆ・・・中間弁体の下面
６２・・・固定弁体
６３・・・スイッチ部材
６３ａ・・・基部
６３ｂ・・・第一延在部
６３ｃ・・・第二延在部
６４、６５・・・パッキン
６８・・・ベース体
８０・・・湯用弁孔
８０Ｌ・・・湯用弁孔の上面開口線
８２・・・水用弁孔
８２Ｌ・・・水用弁孔の上面開口線
８４・・・混合水用弁孔
８４Ｌ・・・混合水用弁孔の上面開口線
８６・・・可動弁体の上側部材
８８・・・可動弁体の下側部材
９４・・・流路形成凹部
９４Ｌ・・・流路形成凹部の下面開口線
９８・・・レバー係合凹部
１００・・・レバーの軸孔
１０６・・・レバー挿入孔
１０８・・・回動体の軸孔
１１０・・・球体用貫通孔
１７０・・・凸部
ＰＬ２・・・可動弁体の下面（平滑面）
Ｋ１・・・湯混合境界位置
Ｒ１・・・第一左右方向範囲
Ｒ２・・・第二左右方向範囲
ＷＬ・・・第一切替位置
ＷＲ・・・第二切替位置
Ｄ１・・・可動弁体の移動の直線方向
Ｄ２・・・上側から見た平面視におけるレバーの前後回動方向
【図１】
0005577364.tif 000002
【図２】
0005577364.tif 000003
【図３】
0005577364.tif 000004
【図４】
0005577364.tif 000005
【図５】
0005577364.tif 000006
【図６】
0005577364.tif 000007
【図７】
0005577364.tif 000008
【図８】
0005577364.tif 000009
【図９】
0005577364.tif 000010
【図１０】
0005577364.tif 000011
【図１１】
0005577364.tif 000012
【図１２】
0005577364.tif 000013
【図１３】
0005577364.tif 000014
【図１４】
0005577364.tif 000015
【図１５】
0005577364.tif 000016
【図１６】
0005577364.tif 000017
【図１７】
0005577364.tif 000018
【図１８】
0005577364.tif 000019
【図１９】
0005577364.tif 000020
【図２０】
0005577364.tif 000021
【図２１】
0005577364.tif 000022
【図２２】
0005577364.tif 000023
【図２３】
0005577364.tif 000024
【図２４】
0005577364.tif 000025
【図２５】
0005577364.tif 000026